(57)【要約】      （修正有）【課題】デジタル放送の番組をより好適に視聴または録画する技術を提供する。【解決手段】放送波受信部と、番組選局部と、番組表示部と、選局番組の番組情報を取得する番組情報取得部と、取得した番組情報を視聴履歴データとして蓄積する視聴情報蓄積部と、視聴履歴データを参照して選局番組が使用者の定期視聴番組か否かを判断する定期視聴番組判断部と、放送番組予定表を取得する番組予定表取得部と、選局番組が定期視聴番組である場合、番組情報と番組予定表とを参照して、選局番組の次回の放送予定の有無を確認する番組放送予定確認部と、次回の放送予定がある場合、これを自動録画予約する自動録画予約部と、自動録画予約番組の放送開始時刻の所定時間前に番組表示装置の動作状態を確認する動作状態確認部と、該確認処理の結果、選局したデジタル放送番組が表示されていない場合に、自動録画予約番組の録画を行う自動録画部と、を備える。【選択図】図８
2014107850.tif 000002
【特許請求の範囲】
【請求項１】
デジタル放送番組を録画可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合、前記番組情報取得部で取得した番組情報と前記番組予定表取得部で取得した番組予定表を参照することにより、前記番組選局部で選局したデジタル放送番組の次回の放送予定があるか否かを確認する番組放送予定確認部と、
前記番組放送予定確認部において、前記番組選局部で選局したデジタル放送番組の次回の放送予定があると確認された場合、前記番組選局部で選局したデジタル放送番組の次回の放送予定を自動録画予約番組として自動録画予約する自動録画予約部と、
前記自動録画予約部で自動録画予約した自動録画予約番組の放送開始時刻の第一の所定時間前に、前記番組表示装置の動作状態を確認する動作状態確認部と、
前記動作状態確認部における確認処理の結果、前記表示部に前記番組選局部で選局したデジタル放送番組が表示されていない場合に、前記自動録画予約部で自動録画予約した自動録画予約番組の録画を行う自動録画部と、
を備えたことを特徴とする番組表示装置。
【請求項２】
デジタル放送波を受信するデジタル放送受信部と、
前記デジタル放送受信部で受信したデジタル放送波からデジタル放送番組を選局する番組選局部と、
前記番組選局部で選局したデジタル放送番組を表示可能な表示部と、
デジタル放送受信部で受信したデジタル放送番組を録画可能な録画部と、
前記録画部の録画の予約を管理する録画予約部と、
前記番組選局部で選局したデジタル放送番組についての番組情報を視聴履歴データとして蓄積する蓄積部と、
ネットワークに接続された機器と情報を送受信する情報送受信部と、
制御部とを備え、
前記制御部が、前記蓄積部に蓄積された視聴履歴データに基づいて、前記番組選局部で選局したデジタル放送番組が、前記番組表示装置の使用者が定期的に視聴する定期視聴番組か否かを判断し、前記番組選局部で選局したデジタル放送番組が定期視聴番組であると判断された場合、放送受信部で受信するデジタル放送波から取得した番組予定表に基づいて、前記番組選局部で選局したデジタル放送番組の次回の放送予定があるか否かを確認し、前記録画予約部は、前記制御部が、前記番組選局部で選局したデジタル放送番組の次回の放送予定があると確認した場合、前記番組選局部で選局したデジタル放送番組の次回放送予定番組を録画予約番組として録画予約し、
前記情報送受信部が、前記録画予約部で録画予約した録画予約番組の放送開始時刻から第１の所定時間前に、前記録画予約部で録画予約した録画予約番組の録画を行うか否かを確認するための問い合わせ情報をネットワークを介して所定の送信先に送信し、
前記制御部が、前記情報送受信部が前記問い合わせ情報に対する返信情報を受信したか否かを確認し、前記録画予約部で録画予約した録画予約番組の放送開始時刻から第２の所定時間前に前記番組表示装置の動作状態を確認し、
前記制御部による前記返信情報の受信確認の結果、前記情報送受信部が前記返信情報を受信しておらず、且つ、前記制御部による前記返信情報の受信確認の結果、前記表示部に前記録画予約番組と同一チャンネルの番組が表示されていない場合に、前記録画部が前記録画予約番組の録画を実行する
ことを特徴とする番組表示装置。
【請求項３】
デジタル放送番組を録画可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合、前記番組情報取得部で取得した番組情報と前記番組予定表取得部で取得した番組予定表を参照することにより、前記番組選局部で選局したデジタル放送番組の次回の放送予定があるか否かを確認する番組放送予定確認部と、
前記番組放送予定確認部において、前記番組選局部で選局したデジタル放送番組の次回の放送予定があると確認された場合、前記番組選局部で選局したデジタル放送番組の次回の放送予定を自動録画予約番組として自動録画予約する自動録画予約部と、
前記番組表示装置の使用者が管理するメールアドレスを記憶するメールアドレス記憶部と、
前記自動録画予約部で自動録画予約した自動録画予約番組の放送開始時刻の第二の所定時間前に、前記自動録画予約部で自動録画予約した自動録画予約番組の録画を行うか否かを確認するためのメールを前記メールアドレス記憶部に記憶されているメールアドレスに対して送信するメール送信部と、
前記メール送信部が送信したメールに対する返信メールを受信したか否かを確認するメール受信確認部と、
前記自動録画予約部で自動録画予約した自動録画予約番組の放送開始時刻の第一の所定時間前に、前記番組表示装置の動作状態を確認する動作状態確認部と、
前記メール受信確認部における確認処理の結果、前記メール送信部が送信したメールに対する返信メールを受信しておらず、且つ、前記動作状態確認部における確認処理の結果、前記表示部に前記番組選局部で選局したデジタル放送番組が表示されていない場合に、前記自動録画予約部で自動録画予約した自動録画予約番組の録画を行う自動録画部と、
を備えることを特徴とする番組表示装置。
【請求項４】
デジタル放送番組を録画可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組または任意のアプリケーションの実行画面を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合、前記番組情報取得部で取得した番組情報と前記番組予定表取得部で取得した番組予定表を参照することにより、前記番組選局部で選局したデジタル放送番組の次回の放送予定があるか否かを確認する番組放送予定確認部と、
前記番組放送予定確認部において、前記番組選局部で選局したデジタル放送番組の次回の放送予定があると確認された場合、前記番組選局部で選局したデジタル放送番組の次回の放送予定を自動録画予約番組として自動録画予約する自動録画予約部と、
前記任意のアプリケーションを実行するアプリケーション実行部と、
前記自動録画予約部で自動録画予約した自動録画予約番組の放送開始時刻の第一の所定時間前に、前記番組表示装置の動作状態を確認する動作状態確認部と、
前記動作状態確認部における確認処理の結果、前記表示部に前記番組選局部で選局したデジタル放送番組が表示されていない場合、または前記任意のアプリケーションの実行画面が主として表示されている場合に、前記自動録画予約部で自動録画予約した自動録画予約番組の録画を行う自動録画部と、
を備えることを特徴とする番組表示装置。
【請求項５】
前記表示部は、前記自動録画部が前記自動録画予約部で自動録画予約した自動録画予約番組の録画を行った後に、前記自動録画部が前記自動録画予約部で自動録画予約した自動録画予約番組の録画を行ったことを、前記番組表示装置の使用者に認識させるための表示を行うように制御されることを特徴とする請求項１乃至４の何れか一項に記載の番組表示装置。
【請求項６】
デジタル放送番組を表示可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合、前記番組情報取得部で取得した番組情報と前記番組予定表取得部で取得した番組予定表を参照することにより、前記番組選局部で選局したデジタル放送番組の次回の放送予定があるか否かを確認する番組放送予定確認部と、
前記番組放送予定確認部において、前記番組選局部で選局したデジタル放送番組の次回の放送予定があると確認された場合、前記番組選局部で選局したデジタル放送番組の次回の放送予定を自動視聴予約番組として自動視聴予約する自動視聴予約部と、
前記自動視聴予約部で自動視聴予約した自動視聴予約番組の放送開始時刻の第一の所定時間前に、前記番組表示装置の動作状態を確認する動作状態確認部と、
前記番組表示装置の周辺に人物が存在するか否かを確認するセンサ部と、
前記動作状態確認部及び前記センサ部における確認処理の結果、前記表示部に前記番組選局部で選局したデジタル放送番組が表示されておらず、且つ前記番組表示装置の周辺に人物が存在する場合に、前記自動視聴予約部で自動視聴予約した自動視聴予約番組の表示を制御する自動視聴部と、
を備えたことを特徴とする番組表示装置。
【請求項７】
デジタル放送番組を表示可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合、前記番組情報取得部で取得した番組情報と前記番組予定表取得部で取得した番組予定表を参照することにより、前記番組選局部で選局したデジタル放送番組の次回の放送予定があるか否かを確認する番組放送予定確認部と、
前記番組放送予定確認部において、前記番組選局部で選局したデジタル放送番組の次回の放送予定があると確認された場合、前記番組選局部で選局したデジタル放送番組の次回の放送予定を自動視聴予約番組として自動視聴予約する自動視聴予約部と、
前記番組表示装置の使用者が管理するメールアドレスを記憶するメールアドレス記憶部と、
前記自動視聴予約部で自動視聴予約した自動視聴予約番組の放送開始時刻の第二の所定時間前に、前記自動視聴予約部で自動視聴予約した自動視聴予約番組の表示を行うか否かを確認するためのメールを前記メールアドレス記憶部に記憶されているメールアドレスに対して送信するメール送信部と、
前記メール送信部が送信したメールに対する返信メールを受信したか否かを確認するメール受信確認部と、
前記自動視聴予約部で自動視聴予約した自動視聴予約番組の放送開始時刻の第一の所定時間前に、前記番組表示装置の動作状態を確認する動作状態確認部と、
前記番組表示装置の周辺に人物が存在するか否かを確認するセンサ部と、
前記メール受信確認部における確認処理の結果、前記メール送信部が送信したメールに対する返信メールを受信しており、且つ、前記動作状態確認部及び前記センサ部における確認処理の結果、前記表示部に前記番組選局部で選局したデジタル放送番組が表示されておらず、且つ前記番組表示装置の周辺に人物が存在する場合に、前記自動視聴予約部で自動視聴予約した自動視聴予約番組の表示を制御する自動視聴部と、
を備えたことを特徴とする番組表示装置。
【請求項８】
前記表示部は、前記自動視聴部が前記自動視聴予約部で自動視聴予約した自動視聴予約番組の表示をするように制御を行った場合に、前記自動視聴部が前記自動視聴予約部で自動視聴予約した自動視聴予約番組の表示を行ったことを、前記番組表示装置の使用者に認識させるための表示を行うように制御されることを特徴とする請求項６または請求項７に記載の番組表示装置。
【請求項９】
デジタル放送番組を録画可能な番組表示装置の番組記録方法であって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組を表示する表示ステップと、
前記番組選局ステップで選局したデジタル放送番組の番組情報を取得する番組情報取得ステップと、
前記番組情報取得ステップで取得した番組情報を視聴履歴データとして蓄積する視聴情報蓄積ステップと、
前記番組情報取得ステップで取得した番組情報と前記視聴情報蓄積ステップで蓄積した視聴履歴データを参照することにより、前記番組選局ステップで選局したデジタル放送番組が、前記番組表示装置の使用者が定期的に視聴する定期視聴番組か否かを判断する定期視聴番組判断ステップと、
前記デジタル放送受信ステップで受信したデジタル放送波からデジタル放送の番組予定表を取得する番組予定表取得ステップと、
前記定期視聴番組判断ステップにおいて、前記番組選局ステップで選局したデジタル放送番組が定期視聴番組であると判断された場合、前記番組情報取得ステップで取得した番組情報と前記番組予定表取得ステップで取得した番組予定表を参照することにより、前記番組選局ステップで選局したデジタル放送番組の次回の放送予定があるか否かを確認する番組放送予定確認ステップと、
前記番組放送予定確認ステップにおいて、前記番組選局ステップで選局したデジタル放送番組の次回の放送予定があると確認された場合、前記番組選局ステップで選局したデジタル放送番組の次回の放送予定を自動録画予約番組として自動録画予約する自動録画予約ステップと、
前記番組表示装置の使用者が管理するメールアドレスを記憶するメールアドレス記憶ステップと、
前記自動録画予約ステップで自動録画予約した自動録画予約番組の放送開始時刻の第二の所定時間前に、前記自動録画予約ステップで自動録画予約した自動録画予約番組の録画を行うか否かを確認するためのメールを前記メールアドレス記憶ステップで記憶したメールアドレスに対して送信するメール送信ステップと、
前記メール送信ステップで送信したメールに対する返信メールを受信したか否かを確認するメール受信確認ステップと、
前記自動録画予約ステップで自動録画予約した自動録画予約番組の放送開始時刻の第一の所定時間前に、前記番組表示装置の動作状態を確認する動作状態確認ステップと、
前記メール受信確認ステップにおける確認処理の結果、前記メール送信ステップで送信したメールに対する返信メールを受信しておらず、且つ、前記動作状態確認ステップにおける確認処理の結果、前記表示ステップにおいて前記番組選局ステップで選局したデジタル放送番組が表示されていない場合に、前記自動録画予約ステップで自動録画予約した自動録画予約番組の録画を行う自動録画ステップと、
を含むことを特徴とする番組表示装置の番組記録方法。
【請求項１０】
デジタル放送波の受信、デジタル放送番組の選局、表示、録画が可能であり、選局したデジタル放送番組についての視聴履歴データを蓄積可能であり、ネットワークを介して接続された機器と情報を送受信可能な番組表示装置における番組記録方法であって、
蓄積した前記視聴履歴データに基づいて、選局したデジタル放送番組が、前記番組表示装置の使用者が定期的に視聴する定期視聴番組か否かを判断し、選局した前記デジタル放送番組が定期視聴番組であると判断された場合、受信するデジタル放送波から取得した番組予定表に基づいて、選局した前記デジタル放送番組の次回の放送予定があるか否かを確認し、選局した前記デジタル放送番組の次回の放送予定があると確認した場合、選局した前記デジタル放送番組の次回放送予定番組を録画予約番組として録画予約するステップと、
前記録画予約ステップで録画予約した録画予約番組の放送開始時刻から第１の所定時間前に、録画予約した前記録画予約番組の録画を行うか否かを確認するための問い合わせ情報をネットワークを介して所定の送信先に送信するステップと、
前記問い合わせ情報に対する返信情報を受信したか否かを確認し、前記録画予約番組の放送開始時刻から第２の所定時間前に前記番組表示装置の動作状態を確認し、
前記返信情報の受信確認の結果、前記番組表示装置が前記返信情報を受信しておらず、且つ、前記返信情報の受信確認の結果、前記番組表示装置に前記録画予約番組と同一チャンネルの番組が表示されていない場合に、前記録画予約番組の録画を実行するステップとを備える番組記録方法。
【請求項１１】
デジタル放送番組を録画可能な番組表示装置の番組記録方法であって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組または任意のアプリケーションの実行画面を表示する表示ステップと、
前記番組選局ステップで選局したデジタル放送番組の番組情報を取得する番組情報取得ステップと、
前記番組情報取得ステップで取得した番組情報を視聴履歴データとして蓄積する視聴情報蓄積ステップと、
前記番組情報取得ステップで取得した番組情報と前記視聴情報蓄積ステップで蓄積した視聴履歴データを参照することにより、前記番組選局ステップで選局したデジタル放送番組が、前記番組表示装置の使用者が定期的に視聴する定期視聴番組か否かを判断する定期視聴番組判断ステップと、
前記デジタル放送受信ステップで受信したデジタル放送波からデジタル放送の番組予定表を取得する番組予定表取得ステップと、
前記定期視聴番組判断ステップにおいて、前記番組選局ステップで選局したデジタル放送番組が定期視聴番組であると判断された場合、前記番組情報取得ステップで取得した番組情報と前記番組予定表取得ステップで取得した番組予定表を参照することにより、前記番組選局ステップで選局したデジタル放送番組の次回の放送予定があるか否かを確認する番組放送予定確認ステップと、
前記番組放送予定確認ステップにおいて、前記番組選局ステップで選局したデジタル放送番組の次回の放送予定があると確認された場合、前記番組選局ステップで選局したデジタル放送番組の次回の放送予定を自動録画予約番組として自動録画予約する自動録画予約ステップと、
前記任意のアプリケーションを実行するアプリケーション実行ステップと、
前記自動録画予約ステップで自動録画予約した自動録画予約番組の放送開始時刻の第一の所定時間前に、前記番組表示装置の動作状態を確認する動作状態確認ステップと、
前記動作状態確認ステップにおける確認処理の結果、前記表示ステップにおいて前記番組選局ステップで選局したデジタル放送番組が表示されていない場合、または前記任意のアプリケーションの実行画面が主として表示されている場合に、前記自動録画予約ステップで自動録画予約した自動録画予約番組の録画を行う自動録画ステップと、
を含むことを特徴とする番組表示装置の番組記録方法。
【請求項１２】
デジタル放送番組を表示可能な番組表示装置の番組表示方法であって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組を表示する表示ステップと、
前記番組選局ステップで選局したデジタル放送番組の番組情報を取得する番組情報取得ステップと、
前記番組情報取得ステップで取得した番組情報を視聴履歴データとして蓄積する視聴情報蓄積ステップと、
前記番組情報取得ステップで取得した番組情報と前記視聴情報蓄積ステップで蓄積した視聴履歴データを参照することにより、前記番組選局ステップで選局したデジタル放送番組が、前記番組表示装置の使用者が定期的に視聴する定期視聴番組か否かを判断する定期視聴番組判断ステップと、
前記デジタル放送受信ステップで受信したデジタル放送波からデジタル放送の番組予定表を取得する番組予定表取得ステップと、
前記定期視聴番組判断ステップにおいて、前記番組選局ステップで選局したデジタル放送番組が定期視聴番組であると判断された場合、前記番組情報取得ステップで取得した番組情報と前記番組予定表取得ステップで取得した番組予定表を参照することにより、前記番組選局ステップで選局したデジタル放送番組の次回の放送予定があるか否かを確認する番組放送予定確認ステップと、
前記番組放送予定確認ステップにおいて、前記番組選局ステップで選局したデジタル放送番組の次回の放送予定があると確認された場合、前記番組選局ステップで選局したデジタル放送番組の次回の放送予定を自動視聴予約番組として自動視聴予約する自動視聴予約ステップと、
前記番組表示装置の使用者が管理するメールアドレスを記憶するメールアドレス記憶ステップと、
前記自動視聴予約ステップで自動視聴予約した自動視聴予約番組の放送開始時刻の第二の所定時間前に、前記自動視聴予約ステップで自動視聴予約した自動視聴予約番組の表示を行うか否かを確認するためのメールを前記メールアドレス記憶ステップで記憶したメールアドレスに対して送信するメール送信ステップと、
前記メール送信ステップで送信したメールに対する返信メールを受信したか否かを確認するメール受信確認ステップと、
前記自動視聴予約ステップで自動視聴予約した自動視聴予約番組の放送開始時刻の第一の所定時間前に、前記番組表示装置の動作状態を確認する動作状態確認ステップと、
前記番組表示装置の周辺に人物が存在するか否かを確認するセンサステップと、
前記メール受信確認ステップにおける確認処理の結果、前記メール送信ステップで送信したメールに対する返信メールを受信しており、且つ、前記動作状態確認ステップ及び前記センサステップにおける確認処理の結果、前記表示ステップにおいて前記番組選局ステップで選局したデジタル放送番組が表示されておらず、且つ前記番組表示装置の周辺に人物が存在する場合に、前記自動視聴予約ステップで自動視聴予約した自動視聴予約番組の表示を制御する自動視聴ステップと、
を備えたことを特徴とする番組表示装置の番組表示方法。
【請求項１３】
デジタル放送番組を録画可能な番組表示装置の番組記録プログラムであって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組を表示する表示ステップと、
前記番組選局ステップで選局したデジタル放送番組の番組情報を取得する番組情報取得ステップと、
前記番組情報取得ステップで取得した番組情報を視聴履歴データとして蓄積する視聴情報蓄積ステップと、
前記番組情報取得ステップで取得した番組情報と前記視聴情報蓄積ステップで蓄積した視聴履歴データを参照することにより、前記番組選局ステップで選局したデジタル放送番組が、前記番組表示装置の使用者が定期的に視聴する定期視聴番組か否かを判断する定期視聴番組判断ステップと、
前記デジタル放送受信ステップで受信したデジタル放送波からデジタル放送の番組予定表を取得する番組予定表取得ステップと、
前記定期視聴番組判断ステップにおいて、前記番組選局ステップで選局したデジタル放送番組が定期視聴番組であると判断された場合、前記番組情報取得ステップで取得した番組情報と前記番組予定表取得ステップで取得した番組予定表を参照することにより、前記番組選局ステップで選局したデジタル放送番組の次回の放送予定があるか否かを確認する番組放送予定確認ステップと、
前記番組放送予定確認ステップにおいて、前記番組選局ステップで選局したデジタル放送番組の次回の放送予定があると確認された場合、前記番組選局ステップで選局したデジタル放送番組の次回の放送予定を自動録画予約番組として自動録画予約する自動録画予約ステップと、
前記番組表示装置の使用者が管理するメールアドレスを記憶するメールアドレス記憶ステップと、
前記自動録画予約ステップで自動録画予約した自動録画予約番組の放送開始時刻の第二の所定時間前に、前記自動録画予約ステップで自動録画予約した自動録画予約番組の録画を行うか否かを確認するためのメールを前記メールアドレス記憶ステップで記憶したメールアドレスに対して送信するメール送信ステップと、
前記メール送信ステップで送信したメールに対する返信メールを受信したか否かを確認するメール受信確認ステップと、
前記自動録画予約ステップで自動録画予約した自動録画予約番組の放送開始時刻の第一の所定時間前に、前記番組記録ステップの動作状態を確認する動作状態確認ステップと、
前記メール受信確認ステップにおける確認処理の結果、前記メール送信ステップで送信したメールに対する返信メールを受信しておらず、且つ、前記動作状態確認ステップにおける確認処理の結果、前記表示ステップにおいて前記番組選局ステップで選局したデジタル放送番組が表示されていない場合に、前記自動録画予約ステップで自動録画予約した自動録画予約番組の録画を行う自動録画ステップと、
をコンピュータに実行させることを特徴とする番組表示装置の番組記録プログラム。
【請求項１４】
デジタル放送番組を録画可能な番組表示装置の番組記録プログラムであって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組または任意のアプリケーションの実行画面を表示する表示ステップと、
前記番組選局ステップで選局したデジタル放送番組の番組情報を取得する番組情報取得ステップと、
前記番組情報取得ステップで取得した番組情報を視聴履歴データとして蓄積する視聴情報蓄積ステップと、
前記番組情報取得ステップで取得した番組情報と前記視聴情報蓄積ステップで蓄積した視聴履歴データを参照することにより、前記番組選局ステップで選局したデジタル放送番組が、前記番組表示装置の使用者が定期的に視聴する定期視聴番組か否かを判断する定期視聴番組判断ステップと、
前記デジタル放送受信ステップで受信したデジタル放送波からデジタル放送の番組予定表を取得する番組予定表取得ステップと、
前記定期視聴番組判断ステップにおいて、前記番組選局ステップで選局したデジタル放送番組が定期視聴番組であると判断された場合、前記番組情報取得ステップで取得した番組情報と前記番組予定表取得ステップで取得した番組予定表を参照することにより、前記番組選局ステップで選局したデジタル放送番組の次回の放送予定があるか否かを確認する番組放送予定確認ステップと、
前記番組放送予定確認ステップにおいて、前記番組選局ステップで選局したデジタル放送番組の次回の放送予定があると確認された場合、前記番組選局ステップで選局したデジタル放送番組の次回の放送予定を自動録画予約番組として自動録画予約する自動録画予約ステップと、
前記任意のアプリケーションを実行するアプリケーション実行ステップと、
前記自動録画予約ステップで自動録画予約した自動録画予約番組の放送開始時刻の第一の所定時間前に、前記番組表示装置の動作状態を確認する動作状態確認ステップと、
前記動作状態確認ステップにおける確認処理の結果、前記表示ステップにおいて前記番組選局ステップで選局したデジタル放送番組が表示されていない場合、または前記任意のアプリケーションの実行画面が主として表示されている場合に、前記自動録画予約ステップで自動録画予約した自動録画予約番組の録画を行う自動録画ステップと、
をコンピュータに実行させることを特徴とする番組表示装置の番組記録プログラム。
【請求項１５】
デジタル放送番組を表示可能な番組表示装置の番組表示プログラムであって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組を表示する表示ステップと、
前記番組選局ステップで選局したデジタル放送番組の番組情報を取得する番組情報取得ステップと、
前記番組情報取得ステップで取得した番組情報を視聴履歴データとして蓄積する視聴情報蓄積ステップと、
前記番組情報取得ステップで取得した番組情報と前記視聴情報蓄積ステップで蓄積した視聴履歴データを参照することにより、前記番組選局ステップで選局したデジタル放送番組が、前記番組表示装置の使用者が定期的に視聴する定期視聴番組か否かを判断する定期視聴番組判断ステップと、
前記デジタル放送受信ステップで受信したデジタル放送波からデジタル放送の番組予定表を取得する番組予定表取得ステップと、
前記定期視聴番組判断ステップにおいて、前記番組選局ステップで選局したデジタル放送番組が定期視聴番組であると判断された場合、前記番組情報取得ステップで取得した番組情報と前記番組予定表取得ステップで取得した番組予定表を参照することにより、前記番組選局ステップで選局したデジタル放送番組の次回の放送予定があるか否かを確認する番組放送予定確認ステップと、
前記番組放送予定確認ステップにおいて、前記番組選局ステップで選局したデジタル放送番組の次回の放送予定があると確認された場合、前記番組選局ステップで選局したデジタル放送番組の次回の放送予定を自動視聴予約番組として自動視聴予約する自動視聴予約ステップと、
前記番組表示装置の使用者が管理するメールアドレスを記憶するメールアドレス記憶ステップと、
前記自動視聴予約ステップで自動視聴予約した自動視聴予約番組の放送開始時刻の第二の所定時間前に、前記自動視聴予約ステップで自動視聴予約した自動視聴予約番組の表示を行うか否かを確認するためのメールを前記メールアドレス記憶ステップで記憶したメールアドレスに対して送信するメール送信ステップと、
前記メール送信ステップで送信したメールに対する返信メールを受信したか否かを確認するメール受信確認ステップと、
前記自動視聴予約ステップで自動視聴予約した自動視聴予約番組の放送開始時刻の第一の所定時間前に、前記番組表示ステップの動作状態を確認する動作状態確認ステップと、
前記番組表示装置の周辺に人物が存在するか否かを確認するセンサステップと、
前記メール受信確認ステップにおける確認処理の結果、前記メール送信ステップで送信したメールに対する返信メールを受信しており、且つ、前記動作状態確認ステップ及び前記センサステップにおける確認処理の結果、前記表示ステップにおいて前記番組選局ステップで選局したデジタル放送番組が表示されておらず、且つ前記番組表示装置の周辺に人物が存在する場合に、前記自動視聴予約ステップで自動視聴予約した自動視聴予約番組の表示を制御する自動視聴ステップと、
を備えたことを特徴とする番組表示装置の番組表示プログラム。
【請求項１６】
デジタル放送番組を記録若しくは表示可能な番組表示装置から送信されたメールを受信し、前記受信したメールに対する返信メールを送信する携帯端末であって、
前記携帯端末に対して指示入力を行う指示入力部と、
前記指示入力部に対する前記携帯端末の使用者の指示入力に基づいて画像表示を行う画像表示部と、
前記番組表示装置から送信されたメールを受信するメール受信部と、
前記指示入力部への前記携帯端末の使用者の指示入力に基づいて、前記メール受信部で受信したメールと即時返信コマンドアイコンを前記画像表示部に表示するように制御する受信メール表示制御部と、
所定のメールアドレスに対してメールを送信するように制御を行うメール送信部と、
を備え、
前記受信メール表示制御部の制御により、前記メール受信部で受信したメールが即時返信コマンドアイコンとともに前記画像表示部に表示されている状態で、前記指示入力部への前記携帯端末の使用者の指示入力に基づいて前記即時返信コマンドアイコンが選択された場合、前記メール送信部が、前記メール受信部で受信したメールに対する返信メールを、前記メール受信部で受信したメールの送信元メールアドレスに対して送信することを特徴とする携帯端末。
【請求項１７】
デジタル放送番組を記録若しくは表示可能な番組表示装置から送信されたメールを受信し、前記受信したメールに対する返信メールを送信する携帯端末であって、
前記携帯端末に対して指示入力を行う指示入力部と、
前記指示入力部に対する前記携帯端末の使用者の指示入力に基づいて画像表示を行う画像表示部と、
前記番組表示装置から送信されたメールを受信するメール受信部と、
前記メール受信部で受信したメールの、送信元アドレスが予め記憶しておいたメールアドレスであり、且つ、題名が予め定めた題名である場合に、前記メール受信部で受信したメールと即時返信コマンドアイコンを前記画像表示部に表示するように制御する返信確認表示制御部と、
所定のメールアドレスに対してメールを送信するように制御を行うメール送信部と、
を備え、
前記返信確認表示制御部の制御により、前記メール受信部で受信したメールが即時返信コマンドアイコンとともに前記画像表示部に表示されている状態で、前記指示入力部への前記携帯端末の使用者の指示入力に基づいて前記即時返信コマンドアイコンが選択された場合、前記メール送信部が、前記メール受信部で受信したメールに対する返信メールを、前記メール受信部で受信したメールの送信元メールアドレスに対して送信することを特徴とする携帯端末。
【発明の詳細な説明】
【技術分野】
【０００１】
本発明は、デジタル放送の番組の視聴技術、録画技術またはこれらの予約技術に関する。
【背景技術】
【０００２】
デジタル放送におけるドラマやバラエティ等の番組は、週毎若しくは日毎の同一時間帯に定期的に放送されるものが多い。これら週毎若しくは日毎に定期的に放送される番組を毎週若しくは毎日繰り返して視聴する場合、テレビ等のデジタル放送受信装置が前記番組を確実に自動選局できる機能を備えていると便利である。前記機能を実現する手法としては下記特許文献１に記載の技術がある。
【０００３】
下記特許文献１には、『放送を受信する手段と、放送される番組のチャンネル、番組開始終了日時及び番組名を含む電子番組表情報を取得する手段と、選局の指示操作を行う操作手段と、視聴したチャンネルと番組名とを少なくとも含む視聴履歴情報を単位時間毎に順次記憶する記憶手段と、前記電子番組表情報から現在放送中の番組を参照し、前記現在放送中の番組と同一チャンネル且つ同一番組名の視聴履歴情報が、現在から所定日数前における現在時刻と同時刻の視聴履歴情報として前記記憶手段に記憶されている場合、前記所定日数前の現在時刻と同時刻に視聴した当該番組のチャンネルに自動選局させるための情報を前記操作手段に供給する制御手段とを設けた』ことにより、『所定日数前に視聴した番組と同じ番組のチャンネルに確実に自動選局できる受信装置を提供することができる』と記載されている。
【先行技術文献】
【特許文献】
【０００４】
【特許文献１】特開２００５−２９５３８６公報
【発明の概要】
【発明が解決しようとする課題】
【０００５】
しかしながら、前記特許文献１に記載の技術を用いた装置においても、前記装置の使用者、即ち番組を視聴しようとする者が外出等により前記装置を視聴可能な場所にいなければ、結局目的の番組を視聴できない、という課題がある。
【０００６】
本発明の目的は、上記課題を考慮し、デジタル放送の番組をより好適に視聴または録画する技術を提供することにある。
【課題を解決するための手段】
【０００７】
前記課題を解決するためには、例えば、特許請求の範囲に記載された構成とすればよい。
【０００８】
一例を挙げるならば、デジタル放送波を受信する受信部と、放送波から番組を選局する選局部と、選局番組を表示する表示部と、選局番組の番組情報を取得する番組情報取得部と、取得した番組情報を視聴履歴データとして蓄積する視聴情報蓄積部と、該視聴履歴データを参照して選局番組が使用者が定期的に視聴する定期視聴番組か否かを判断する定期視聴番組判断部と、放送波から放送番組予定表を取得する番組予定表取得部と、選局番組が定期視聴番組である場合、番組情報取得部で取得した番組情報と番組予定表取得部で取得した番組予定表とを参照して、選局番組の次回の放送予定の有無を確認する番組放送予定確認部と、選局番組の次回の放送予定がある場合、これを自動録画予約番組として自動録画予約する自動録画予約部と、自動録画予約番組の放送開始時刻の所定時間前に番組表示装置の動作状態を確認する動作状態確認部と、該確認処理の結果、表示部に番組選局手段で選局したデジタル放送番組が表示されていない場合に、自動録画予約番組の録画を行う自動録画部と、を備えるように構成すればよい。
【発明の効果】
【０００９】
本発明の技術を用いることにより、デジタル放送の番組をより好適に視聴または録画する技術を提供することが可能となる。
【図面の簡単な説明】
【００１０】
【図１】実施例に係る、番組表示装置のブロック図である。
【図２】実施例に係る、デジタル放送番組を視聴する際の処理を説明するフローチャートである。
【図３】実施例に係る、視聴情報データベースの構成を説明する概念図である。
【図４】実施例に係る、『番組名』の情報を用いた視聴履歴データベースの検索処理を説明する概念図である。
【図５】実施例に係る、定期視聴判断処理を説明する概念図である。
【図６】実施例に係る、定期視聴判断処理を説明する概念図である。
【図７】実施例に係る、定期視聴番組データベースの構成を説明する概念図である。
【図８】実施例に係る、自動録画予約処理を説明するフローチャートである。
【図９（Ａ）】実施例に係る、放送予定確認処理を説明する図である。
【図９（Ｂ）】実施例に係る、放送予定確認処理を説明する図である。
【図９（Ｃ）】実施例に係る、放送予定確認処理を説明する図である。
【図１０】実施例に係る、自動録画予約一覧の構成を説明する概念図である。
【図１１（Ａ）】実施例に係る、定期視聴番組データの更新処理を説明する概念図である。
【図１１（Ｂ）】実施例に係る、定期視聴番組データの削除処理を説明する概念図である。
【図１２】実施例に係る、自動録画処理を説明するフローチャートである。
【図１３（Ａ）】実施例に係る、自動録画予約番組の自動録画を行ったことを使用者に知らせるための表示を説明する画面表示図である。
【図１３（Ｂ）】実施例に係る、自動録画予約番組の自動録画を行ったことを使用者に知らせるための表示を説明する画面表示図である。
【図１４】実施例に係る、自動録画処理を説明するフローチャートである。
【図１５】実施例に係る、自動録画処理を説明するフローチャートである。
【図１６（Ａ）】実施例に係る、自動録画予約番組の自動録画を実行するか否かを確認するメールの記述内容の例を説明する概念図である。
【図１６（Ｂ）】実施例に係る、自動録画予約番組の自動録画を実行するか否かを確認するメールの記述内容の例を説明する概念図である。
【図１７】実施例に係る、自動録画処理を説明するフローチャートである。
【図１８（Ａ）】実施例に係る、デジタル放送番組とアプリケーション実行画面をマルチ表示している場合の処理を説明する画面表示図である。
【図１８（Ｂ）】実施例に係る、デジタル放送番組とアプリケーション実行画面をマルチ表示している場合の処理を説明する画面表示図である。
【図１９】実施例に係る、自動視聴予約処理を説明するフローチャートである。
【図２０】実施例に係る、自動視聴予約一覧の構成を説明する概念図である。
【図２１】実施例に係る、自動視聴処理を説明するフローチャートである。
【図２２（Ａ）】実施例に係る、自動視聴予約番組の映像表示を開始したことを使用者に知らせるための表示を説明する画面表示図である。
【図２２（Ｂ）】実施例に係る、自動視聴予約番組の選局を行うか否かを使用者に確認するための表示を説明する画面表示図である。
【図２３】実施例に係る、自動視聴処理を説明するフローチャートである。
【図２４】実施例に係る、自動視聴予約番組の自動視聴を実行するか否かを確認するメールの記述内容の例を説明する概念図である。
【図２５】実施例に係る、携帯端末のブロック図である。
【図２６】実施例に係る、受信メール確認アプリケーションの実行時の表示画面を説明する画面表示図である。
【図２７】実施例に係る、自動録画／視聴実行確認アプリケーションの実行時の表示画面を説明する画面表示図である。
【発明を実施するための形態】
【００１１】
以下、本発明の実施形態の例を、図面を用いて説明する。
【実施例１】
【００１２】
図１は、本実施例の番組表示装置のブロック図である。番組表示装置１００は、主制御部１０１、システムバス１０２、ＲＯＭ１０３、ＲＡＭ１０４、放送受信部１１０、表示部１２１、表示処理部１２２、スピーカ１２３、音声処理部１２４、ストレージ部１３０、視聴状況解析部１４０、メール処理部１５０、外部インタフェース１６０、操作部１７０、で構成される。
【００１３】
番組表示装置１００は、デジタル放送番組の録画再生機能を内蔵する録画機能付きテレビ装置であっても良いし、録画再生機能を内蔵せず、外部に接続したＨＤＤ（Ｈａｒｄ  Ｄｉｓｃ  Ｄｒｉｖｅ）装置等にデジタル放送番組の録画再生を行うことが可能な録画対応テレビ装置であっても良い。インターネット等のネットワークで配信されるデジタル配信番組の受信機能及び受信したデジタル配信番組の蓄積機能を有するインターネット対応テレビ装置であっても良い。また、デジタル放送受信機能及び受信したデジタル放送番組の録画再生機能を有する携帯電話やタブレット端末、据え置き型／携行型ＰＣ（Ｐｅｒｓｏｎａｌ  Ｃｏｍｐｕｔｅｒ）、ゲーム機等であっても良い。更には、ＨＤＤレコーダやＢＤ（Ｂｌｕ−ｒａｙ  Ｄｉｓｃ）レコーダ等の録画再生機器とモニタ装置の組み合わせであっても良い。
【００１４】
主制御部１０１は、所定のプログラムに従って番組表示装置１００全体を制御するマイクロプロセッサユニットである。システムバス１０２は主制御部１０１と番組表示装置１００内の各部との間でデータ送受信を行うためのデータ通信路である。ＲＯＭ（Ｒｅａｄ  Ｏｎｌｙ  Ｍｅｍｏｒｙ）１０３は、オペレーティングシステムや所定のアプリケーションプログラムなど、番組表示装置１００の基本動作プログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。ＲＯＭ１０３に格納されたプログラムを更新することにより、基本動作プログラムのバージョンアップや機能拡張が可能であるものとする。なお、ＲＯＭ１０３は、図１に示したような独立構成とはせず、後述のストレージ部１３０内の一部記憶領域を使用しても良い。ＲＡＭ（Ｒａｎｄｏｍ  Ａｃｃｅｓｓ  Ｍｅｍｏｒｙ）１０４は基本動作プログラム若しくは各アプリケーション実行時のワークエリアとなる。また、ＲＯＭ１０３及びＲＡＭ１０４は主制御部１０１と一体構成であっても良い。
【００１５】
放送受信部１１０は、デジタル放送波の受信及びデコード等の信号処理を行う。特に、チューナ１１１は、図示を省略したアンテナが受信したデジタル放送波から番組表示装置１００の使用者が選局したチャンネルの信号を抽出し、ＴＳ（Ｔｒａｎｓｐｏｒｔ  Ｓｔｒｅａｍ）信号を復調する。分離部１１２は、前記ＴＳ信号をそれぞれパケット化された映像データと音声データと付随情報データとに分離し、映像データは映像デコーダ１１３に、音声データは音声デコーダ１１４に、付随情報データは情報デコーダ１１５に出力する。映像デコーダ１１３は、分離部１１２から出力された映像データをデコードし、映像信号として表示処理部１２２に出力する。音声デコーダ１１４は、分離部１１２から出力された音声データをデコードし、音声信号として音声処理部１２４に出力する。情報デコーダ１１５は、分離部１１２から出力された付随情報データを処理するものであり、特に各番組の番組名、ジャンル、放送開始／終了日時、等の番組情報を含むＳＩ（Ｓｅｒｖｉｃｅ  Ｉｎｆｏｒｍａｔｉｏｎ）情報等を取得する。
【００１６】
表示部１２１は、例えば液晶パネルのような表示デバイスであり、表示処理部１２２で処理した映像信号を番組表示装置１００の使用者に提供する。また、表示処理部１２２は、入力した映像信号に対して、必要に応じてフォーマット変換、メニューやその他のＯＳＤ（Ｏｎ  Ｓｃｒｅｅｎ  Ｄｉｓｐｌａｙ）信号の重畳処理等も行う。スピーカ１２３は音声処理部１２４で処理した音声信号を番組表示装置１００の使用者に提供する。
【００１７】
ストレージ部１３０は、番組表示装置１００の各動作設定値や番組表示装置１００の使用者の個人情報（メールアドレスやスケジュール等）、番組表示装置１００で動作する各種のアプリケーションの記憶に使用する他、デジタル放送番組の録画等に使用する。ストレージ部１３０は、番組表示装置１００の使用者が所有する携帯端末のメールアドレス等の個人情報を記憶する個人情報記憶領域１３１、番組表示装置１００の使用者が視聴したデジタル放送番組に関する視聴履歴データ等の情報を記憶する視聴情報記憶領域１３２、デジタル放送番組の録画及びデジタル放送番組録画に関連する情報（録画予約情報等）を記憶する番組記録領域１３３、及びその他情報憶記憶領域１３４、で構成される。
【００１８】
なお、その他情報記憶領域１３４の一部領域を以ってＲＯＭ１０３の機能の全部または一部を代替しても良い。また、番組表示装置１００は、インターネット等のネットワーク上に接続されたアプリケーションサーバから新規アプリケーションをダウンロードすることにより、機能拡張をすることが可能であるものとする。この際、ダウンロードした前記新規アプリケーションはその他情報記憶領域１３４に記憶される。その他情報記憶領域１３４に記憶された前記新規アプリケーションがＲＡＭ１０４上に展開されて実行されることにより、番組表示装置１００は多種の新規機能を実現可能であるものとする。
【００１９】
ストレージ部１３０は、番組表示装置１００に電源が供給されていない状態であっても記憶している情報を保持する必要がある。したがって、例えばフラッシュＲＯＭやＳＳＤ（Ｓｏｌｉｄ  Ｓｔａｔｅ  Ｄｒｉｖｅ）、ＨＤＤ等のデバイスが用いられる。
【００２０】
視聴状況解析部１４０は、ストレージ部１３０内の視聴情報記憶領域１３２を参照することにより、番組表示装置１００の使用者が選局したデジタル放送番組が、前記使用者が週毎若しくは日毎に定期的に視聴している番組か否かを判断する処理（以下、定期視聴判断処理と称す）を行う。なお、図１においては、視聴状況解析部１４０を独立した構成として記述しているが、主制御部１０１がＲＡＭ１０４をワークエリアとして同機能を実現するように動作しても良い。
【００２１】
メール処理部１５０は、所定のメールアドレスへのメール送信及びメール受信の制御を行うメール送受信部１５１と、送信メールの作成及び受信メールの解析等を行うメール制御部１５２、で構成される。なお、図１においては、メール処理部１５０を独立した構成として記述しているが、主制御部１０１がＲＡＭ１０４をワークエリアとして同機能を実現するように動作しても良い。また、送信したメール及び受信したメールの履歴はストレージ部１３０内のその他情報記憶領域１３４に記憶可能であるものとする。
【００２２】
外部インタフェース１６０は、番組表示装置１００の機能を拡張するためのインタフェース群であり、本実施例では、ＬＡＮ（Ｌｏｃａｌ  Ａｒｅａ  Ｎｅｔｗｏｒｋ）インタフェース１６１、音声入出力部１６２、映像入出力部１６３、ＵＳＢ（Ｕｎｉｖｅｒｓａｌ  Ｓｅｒｉａｌ  Ｂｕｓ）インタフェース１６４、で構成される。ＬＡＮインタフェース１６１は、インターネット等のネットワークと有線または無線通信により接続して情報の送受を行う。ＬＡＮインタフェース１６１は符号回路や復号回路等を備えるものとする。音声入出力部１６２及び映像入出力部１６３は、外部音声／映像出力機器からの音声信号／映像信号の入力、外部音声／映像入力機器への音声信号／映像信号の出力を行う。番組表示装置１００がＨＤＤレコーダやＢＤレコーダの場合、音声入出力部１６２及び映像入出力部１６３にモニタ装置等を接続すれば良い。ＵＳＢインタフェース１６４はキーボード等のＵＳＢ機器若しくはメモリカード類の接続等を行う。番組表示装置１００が録画再生機能を内蔵せず外部に接続したＨＤＤ装置等にデジタル放送番組の録画を行う場合、ＵＳＢインタフェース１６４に外部ＨＤＤ装置等を接続すれば良い。
【００２３】
操作部１７０は、番組表示装置１００に対する操作指示の入力を行う指示入力部であり、本実施例では、ボタンスイッチを並べた操作キー１７１及び図示を省略したリモコンからの赤外線信号を受信するリモコン受信部１７２で構成される。人感センサ１７３は番組表示装置１００周辺の人物の存在を検出する。前記検出した情報に基づき、主制御部１０１は、番組表示装置１００の電源制御等を行うことが可能であるものとする。なお、操作キー１７１に代替して、表示部１２１に重ねて配置したタッチパネルを用いて番組表示装置１００の操作を行っても良い。両者を併用しても良い。ＵＳＢインタフェース１６４に接続したキーボード等を用いて番組表示装置１００の操作を行っても良い。ＬＡＮインタフェース１６１を介して接続した携帯端末やＰＣ等を用いて番組表示装置１００の操作を行っても良い。
【００２４】
なお、図１に示した番組表示装置１００の構成例は、音声入出力部１６２や映像入出力部１６３、ＵＳＢインタフェース１６４等、本発明に必須ではない構成も多数含んでいるが、これらが無くとも本発明の効果を損なうことはない。また、移動体電話網通信を可能とする通信部や、加速度センサ、ジャイロセンサ、地磁気センサ、ＧＰＳ受信部等の構成を更に含むものであっても良い。
【００２５】
本実施例の番組表示装置１００は、デジタル放送番組を視聴する際に、視聴履歴記憶処理、定期視聴判断処理及び定期視聴番組データの登録処理を行う。以下に、本実施例の番組表示装置１００がデジタル放送番組の視聴の際に行う、視聴履歴記憶処理、定期視聴判断処理及び定期視聴番組データの登録処理に関して説明する。
【００２６】
図２は、本実施例の番組表示装置１００の、デジタル放送番組を視聴する際の処理を説明するフローチャートである。
【００２７】
デジタル放送番組の視聴を行う際、番組表示装置１００の使用者が図示を省略したリモコン等を操作して行った選局指示により、チューナ１１１はデジタル放送波から所望のチャンネルのＴＳ信号を抽出する。更に、映像デコーダ１１３及び音声デコーダ１１４でのデコード処理で得た映像信号及び音声信号を、表示処理部１２２及び音声処理部１２４を介して、表示部１２１及びスピーカ１２３が出力する（Ｓ１０１）。また、情報デコーダ１１５は、選局したデジタル放送番組の『番組名』、『番組ジャンル』、『放送日（曜日）』、『放送開始時刻』及び『放送終了時刻』、等の番組情報を、付随情報データから取得する（Ｓ１０２）。
【００２８】
次に、視聴状況解析部１４０が、視聴情報記憶領域１３２内の視聴情報データベースを検索して、Ｓ１０１で選局したデジタル放送番組と同一若しくは略同一の番組名の情報を有する視聴履歴データを抽出する（Ｓ１０３）。更に、視聴状況解析部１４０は、Ｓ１０３の検索処理で得た視聴履歴データの抽出結果を解析することにより、Ｓ１０１で選局したデジタル放送番組が、番組表示装置１００の使用者が週毎若しくは日毎に定期的に視聴している番組か否かを判断する処理を行う（Ｓ１０４）。Ｓ１０３及びＳ１０４における定期視聴判断処理の結果、Ｓ１０１で選局したデジタル放送番組が、番組表示装置１００の使用者が週毎若しくは日毎に定期的に視聴している番組であると判断された場合、主制御部１０１は、Ｓ１０１で選局したデジタル放送番組の情報を、定期視聴番組データとして、視聴情報記憶領域１３２内の定期視聴番組データベースに登録する処理を行う（Ｓ１０５）。一方、Ｓ１０１で選局したデジタル放送番組が、番組表示装置１００の使用者が週毎若しくは日毎に定期的に視聴している番組ではないと判断された場合には、主制御部１０１はＳ１０５の処理を行わない。
【００２９】
また、主制御部１０１は、Ｓ１０２で取得した番組情報を、視聴履歴データとして、視聴情報記憶領域１３２内の視聴情報データベースに記憶させる、視聴履歴記憶処理を実行する（Ｓ１０６）。
【００３０】
視聴履歴記憶処理に関して、以下に説明する。
【００３１】
図３は、視聴情報記憶領域１３２内に構築される視聴情報データベースの構成を示す図である。本実施例の視聴履歴記憶処理では、Ｓ１０１で選局して視聴したデジタル放送番組のそれぞれに関して、Ｓ１０２で取得した番組情報のうちの、『番組名』、『チャンネル』、『放送日（曜日）』、『放送開始時刻』と『放送終了時刻』の情報を、視聴履歴データとして、視聴情報記憶領域１３２内の視聴情報データベースに記憶させる処理を行う。Ｓ１０２で取得した番組情報の『番組ジャンル』や『検索タグ』等の情報を、更に記憶させるようにしても良い。また、同一のチャンネルで時間的に連続する複数のデジタル放送番組を継続して視聴する場合は、それぞれのデジタル放送番組毎に視聴履歴記憶処理を行うようにする。
【００３２】
なお、視聴情報記憶領域１３２内の視聴情報データベースは、直近の一カ月程度の視聴履歴データのみを記憶しておくようにし、それよりも古いものは適宜消去するようにしても良い。視聴状況解析部１４０が定期視聴判断処理を行うためには、直近の一カ月程度の視聴履歴データがあれば十分であり、また、視聴情報記憶領域１３２内の視聴情報データベースの必要容量の増大を防ぐことができる。更に、放送時間長が所定値（例えば、１０分）以下のデジタル放送番組や、所定の番組ジャンル（例えば、ニュース、天気予報、等）の情報を有するデジタル放送番組に対しては、視聴履歴記憶処理を行わないようにしても良い。この場合も、視聴情報記憶領域１３２内の視聴情報データベースの必要容量の増大を防ぐことができる。
【００３３】
定期視聴判断処理では、Ｓ１０３の検索処理で得た視聴履歴データの抽出結果を解析することにより、Ｓ１０１で選局したデジタル放送番組が、番組表示装置１００の使用者が週毎若しくは日毎に定期的に視聴している番組であるか否かを判断する処理を行う。定期視聴判断処理に関して、以下に説明する。
【００３４】
Ｓ１０３では、図４に示すように、視聴状況解析部１４０が、Ｓ１０１で選局したデジタル放送番組の番組情報（図４（Ａ））の『番組名』の情報を用いて、視聴情報記憶領域１３２内の視聴情報データベース（図４（Ｂ））を検索し、Ｓ１０１で選局したデジタル放送番組と同一若しくは略同一の番組名の情報を有する視聴履歴データの抽出結果（図４（Ｃ））を得る。更に、Ｓ１０４において視聴状況解析部１４０は、図５に示すように、Ｓ１０１で選局したデジタル放送番組の番組情報（図５（Ａ））と、Ｓ１０３の検索処理で得た視聴履歴データの抽出結果（図５（Ｃ））の、『チャンネル』、『放送日（曜日）』、『放送開始時刻』及び『放送終了時刻』の情報を比較することにより、Ｓ１０１で選局したデジタル放送番組が、番組表示装置１００の使用者が週毎若しくは日毎に定期的に視聴している番組であるか否かを判断する。
【００３５】
具体的には、Ｓ１０３の検索処理で得た視聴履歴データの抽出結果（図５（Ｃ））の中に、Ｓ１０１で選局したデジタル放送番組の番組情報（図５（Ａ））と、『チャンネル』の情報が同一であり、且つ『放送開始時刻』及び『放送終了時刻』の情報が略同一となる視聴履歴データが存在する場合には、Ｓ１０１で選局したデジタル放送番組が、番組表示装置１００の使用者が日毎に定期的に視聴している番組であると判断する。また、Ｓ１０３の検索処理で得た視聴履歴データの抽出結果（図５（Ｃ））の中に、Ｓ１０１で選局したデジタル放送番組の番組情報（図５（Ａ））と、『チャンネル』の情報が同一であり、且つ『放送開始時刻』及び『放送終了時刻』の情報が略同一となる視聴履歴データが存在し、更に、前記視聴履歴データの『放送日（曜日）』の曜日情報が同一である場合には、Ｓ１０１で選局したデジタル放送番組が、番組表示装置１００の使用者が週毎に定期的に視聴している番組であると判断する。
【００３６】
定期視聴判断処理の例を、図６を用いて説明する。図６において、図６（Ａ）はＳ１０１で選局したデジタル放送番組の番組情報であり、図６（Ｃ１）〜（Ｃ３）はそれぞれＳ１０３の検索処理で得た視聴履歴データの抽出結果である。
【００３７】
例えば、Ｓ１０３の検索処理で得た視聴履歴データの抽出結果が図６（Ｃ１）に示したものであるとする。この場合、Ｓ１０３の検索処理で得た視聴履歴データの抽出結果（図６（Ｃ１））の中に、Ｓ１０１で選局したデジタル放送番組の番組情報（図６（Ａ））と、『チャンネル』の情報が同一であり、且つ『放送開始時刻』及び『放送終了時刻』の情報が略同一となる視聴履歴データが存在し、更に、前記視聴履歴データの『放送日（曜日）』の曜日情報が同一である。したがって、Ｓ１０１で選局したデジタル放送番組は、番組表示装置１００の使用者が週毎に定期的に視聴している番組であると判断する。
【００３８】
なお、本実施例の定期視聴判断処理で『放送開始時刻』及び『放送終了時刻』の情報を比較する際は、Ｓ１０１で選局したデジタル放送番組の番組情報（図６（Ａ））の『放送開始時刻』及び『放送終了時刻』の情報に対して、Ｓ１０３の検索処理で得た視聴履歴データの抽出結果（図６（Ｃ１））の『放送開始時刻』及び『放送終了時刻』の情報が、それぞれ一〜二時間程度ずれている場合であっても、これを許容し、略同一であるものとして取り扱うようにすると良い。前記処理により、スポーツ中継等の延長による放送時間のシフトや、特別編成等による放送時間の拡大等に対応することが可能となる。
【００３９】
また、例えば、Ｓ１０３の検索処理で得た視聴履歴データの抽出結果が図６（Ｃ２）に示したものであるとする。Ｓ１０３の検索処理で得た視聴履歴データの抽出結果（図６（Ｃ２））の中の『７月３日（火）』の視聴履歴データは、Ｓ１０１で選局したデジタル放送番組の番組情報（図６（Ａ））と比較して、『チャンネル』の情報が同一であり、『放送日（曜日）』の曜日情報が同一であるが、『放送開始時刻』及び『放送終了時刻』の情報が大きく異なる（略同一ではない）。即ち、この場合、Ｓ１０３の検索処理で得た視聴履歴データの抽出結果（図６（Ｃ２））の中に、Ｓ１０１で選局したデジタル放送番組の番組情報（図６（Ａ））と、『チャンネル』の情報が同一であり、且つ『放送開始時刻』及び『放送終了時刻』の情報が略同一となる視聴履歴データが存在しない。したがって、Ｓ１０１で選局したデジタル放送番組は、番組表示装置１００の使用者が週毎若しくは日毎に定期的に視聴している番組ではないと判断する。
【００４０】
また、例えば、Ｓ１０３の検索処理で得た視聴履歴データの抽出結果が図６（Ｃ３）に示したものであるとする。Ｓ１０３の検索処理で得た視聴履歴データの抽出結果（図６（Ｃ３））の中の『６月１９日（火）』の視聴履歴データは、Ｓ１０１で選局したデジタル放送番組の番組情報（図６（Ａ））と比較して、『放送開始時刻』及び『放送終了時刻』の情報が（略）同一であり、『放送日（曜日）』の曜日情報が同一であるが、『チャンネル』の情報が同一ではない。即ち、この場合、Ｓ１０３の検索処理で得た視聴履歴データの抽出結果（図６（Ｃ３））の中に、Ｓ１０１で選局したデジタル放送番組の番組情報（図６（Ａ））と、『チャンネル』の情報が同一であり、且つ『放送開始時刻』及び『放送終了時刻』の情報が略同一となる視聴履歴データが存在しない。したがって、Ｓ１０１で選局したデジタル放送番組は、番組表示装置１００の使用者が週毎若しくは日毎に定期的に視聴している番組ではないと判断する。
【００４１】
なお、定期視聴判断処理における、Ｓ１０１で選局したデジタル放送番組が、番組表示装置１００の使用者が週毎若しくは日毎に定期的に視聴している番組であるか否かを判断するための方法は、前述の例に限らず異なるアルゴリズムを用いても良い。
【００４２】
定期視聴番組データの登録処理に関して、以下に説明する。
【００４３】
図７は、視聴情報記憶領域１３２内に構築される定期視聴番組データベースの構成を示す図である。本実施例の定期視聴番組データの登録処理では、Ｓ１０３及びＳ１０４における定期視聴判断処理の結果、番組表示装置１００の使用者が週毎若しくは日毎に定期的に視聴している番組であると判断されたデジタル放送番組のそれぞれに関して、主制御部１０１が、Ｓ１０２で取得した番組情報のうちの、『番組名』、『チャンネル』、『放送開始時刻』と『放送終了時刻』の情報を、定期視聴番組データとして、視聴情報記憶領域１３２内の定期視聴番組データベースに記憶させる処理を行う。同時に、前記デジタル放送番組が、週毎に定期的に視聴されている番組であると判断されたか、或いは日毎に定期的に視聴されている番組であると判断されたか、を区別するフラグも記憶させるようにする。また、前記フラグ及びＳ１０２で取得した番組情報の『放送日（曜日）』の情報から推測した、前記デジタル放送番組の次回の放送予定の日付を、『放送予定日』として記憶させる。更に、前記デジタル放送番組の情報を視聴情報記憶領域１３２内の定期視聴番組データベースに登録した日の日付を『登録日』として記憶させるようにする。
【００４４】
前記視聴履歴記憶処理、前記定期視聴判断処理及び前記定期視聴番組データの登録処理は、Ｓ１０１においてチューナ１１１がデジタル放送番組の選局を行った直後、若しくはＳ１０２において情報デコーダ１１５が付随情報データから番組情報を取得した直後に行っても良いが、前記選局したデジタル放送番組を表示部１２１へ表示する処理をある程度以上の時間継続させた後に行うことがより望ましい。
【００４５】
なお、前記『ある程度以上の時間』とは、例えば、『放送時間長の５０％以上（放送時間長が５４分のデジタル放送番組の場合は２７分以上）の時間』等と設定すれば良い。『放送時間長の４０％以上の時間』や『放送時間長の６０％以上の時間』等と設定しても良い。但し、あまり短い時間（例えば、『放送時間長の１０％以上の時間』等）に設定すると、選局後に殆ど視聴しなかったデジタル放送番組であっても、視聴情報記憶領域１３２内の視聴情報データベースに視聴履歴データが記憶されてしまう等、好ましくない。逆に、あまり長い時間（例えば、『放送時間長の９０％以上の時間』等）に設定すると、ドラマ等で本編を視聴し終えたにもかかわらず、次回予告の部分を見なかったために、視聴情報記憶領域１３２内の視聴情報データベースへの視聴履歴データの記憶が行われない等、これも好ましくない。
【００４６】
即ち、前記『ある程度以上の時間』が短すぎても長すぎても、正しい視聴履歴データの記憶が行われないことになる。このため、前記『ある程度以上の時間』は短すぎず長すぎない適度な値（放送時間長の３０〜７０％程度）を設定すると良い。
【００４７】
また、図２では、Ｓ１０３〜Ｓ１０５の処理を行った後にＳ１０６の処理を行うように記載しているが、Ｓ１０６の処理を先に行い、後でＳ１０３〜Ｓ１０５の処理を実行するようにしても良い。Ｓ１０３〜Ｓ１０５の処理とＳ１０６の処理を同時に並行して実行しても良い。
【００４８】
次に、本実施例の番組表示装置１００は、視聴情報記憶領域１３２内の定期視聴番組データベースに登録されている定期視聴番組データ及び情報デコーダ１１５が付随情報データから取得するデジタル放送の番組表を参照することにより、前記定期視聴番組データに示されるデジタル放送番組の自動録画予約処理を行う。以下に、本実施例の番組表示装置１００が行う自動録画予約処理に関して説明する。
【００４９】
図８は、本実施例の番組表示装置１００が行う、視聴情報記憶領域１３２内の定期視聴番組データベースに登録されている定期視聴番組データに示されるデジタル放送番組の自動録画予約処理を説明するフローチャートである。
【００５０】
自動録画予約処理においては、まず、主制御部１０１が視聴情報記憶領域１３２内の定期視聴番組データベースに登録されている定期視聴番組データを読み込む（Ｓ２０１）。次に、主制御部１０１は、デジタル放送の番組表を参照することにより、Ｓ２０１で読み込んだ定期視聴番組データに示されるデジタル放送番組の放送予定があるか否かを確認する、放送予定確認処理を行う（Ｓ２０２）。
【００５１】
デジタル放送では、一週間程度先までのデジタル放送番組の放送予定を、デジタル放送の番組表として、デジタル放送受信機能を有する各装置に対して提供することが一般的である。したがって、Ｓ２０２の放送予定確認処理では、主制御部１０１が、Ｓ２０１で読み込んだ定期視聴番組データの各情報を用いて前記デジタル放送の番組表を検索することにより、Ｓ２０１で読み込んだ定期視聴番組データに示されるデジタル放送番組の放送予定があるか否かを確認する。
【００５２】
放送予定確認処理の例を、図９を用いて説明する。なお、以下の説明では、Ｓ２０１で視聴情報記憶領域１３２内の定期視聴番組データベースから読み込んだ定期視聴番組データは、図７に示したものであるとする。
【００５３】
例えば、提供されたデジタル放送の番組表が図９（Ａ）に示したものであるとする。この場合、主制御部１０１は、まず、Ｓ２０１で読み込んだ前記定期視聴番組データの『放送予定日』及び『チャンネル』の情報に示される、『７月１７日（火）』の『０６１』チャンネルのデジタル放送の番組表を参照する。更に、『２０時００分から２２時５４分まで』の時間範囲で、前記定期視聴番組データの『番組名』の情報と同一若しくは略同一の番組名を有するデジタル放送番組を検索することにより、前記定期視聴番組データに示されるデジタル放送番組の放送予定があるか否かの確認を行う。この結果、図９（Ａ）に示した例では、『７月１７日（火）』の『０６１』チャンネルの『２１時３０分から２２時２４分まで』に、『ＡＡＡ  （第８回）』という番組名を有するデジタル放送番組の放送予定があることを確認する。
【００５４】
なお、本実施例の放送予定確認処理でデジタル放送の番組表を検索する際は、前記定期視聴番組データの『放送開始時刻』及び『放送終了時刻』の情報に示される『２１時００分から２１時５４分まで』の時間範囲に対して、前後に一時間分の余裕を持たせた『２０時００分から２２時５４分まで』の時間範囲を検索するようにしている。このようにすることにより、スポーツ中継等の延長による放送時間のシフトや、特別編成等による放送時間の拡大等に対応することが可能となる。
【００５５】
前記定期視聴番組データの『放送開始時刻』及び『放送終了時刻』の情報に示される『２１時００分から２１時５４分まで』の時間範囲に対して、前後に二時間分の余裕を持たせた『１９時００分から２３時５４分まで』の時間範囲を検索するようにしても良い。このように、検索対象となる時間範囲を広げれば、前記定期視聴番組データに示されるデジタル放送番組の放送予定があるか否かを確認する処理において、確認漏れの可能性を低減することが可能となる。但し、検索対象となる時間範囲を広げると検索処理に要する負荷も増大するため、検索対象となる時間範囲は、前記定期視聴番組データの『放送開始時刻』及び『放送終了時刻』の情報に示される時間範囲に対して、前後一〜二時間分程度の余裕を持たせた時間範囲を設定するようにしておくことが望ましい。
【００５６】
また、例えば、提供されたデジタル放送の番組表が図９（Ｂ）に示したものであるとする。この場合、主制御部１０１は、『７月１７日（火）』の『０６１』チャンネルのデジタル放送の番組表を参照し、更に、『２０時００分から２２時５４分まで』の時間範囲で、前記定期視聴番組データの『番組名』の情報と同一若しくは略同一の番組名を有するデジタル放送番組を検索することにより、『７月１７日（火）』の『０６１』チャンネルの『２２時３０分から２３時２４分まで』に、『ＡＡＡ  （第８回）』という番組名を有するデジタル放送番組の放送予定があることを確認する。
【００５７】
なお、図９（Ｂ）に示した例では、『ＡＡＡ  （第８回）』という番組名を有するデジタル放送番組の『放送終了時刻』が検索対象となる時間範囲から外れているが、このような場合でも、前記定期視聴番組データに示されるデジタル放送番組の放送予定があることが確認されたものとして取り扱う。『放送開始時刻』が検索対象となる時間範囲から外れている場合も同様である。
【００５８】
また、例えば、提供されたデジタル放送の番組表が図９（Ｃ）に示したものであるとする。この場合、主制御部１０１は、『７月１７日（火）』の『０６１』チャンネルのデジタル放送の番組表を参照し、更に、『２０時００分から２２時５４分まで』の時間範囲で、前記定期視聴番組データの『番組名』の情報と同一若しくは略同一の番組名を有するデジタル放送番組を検索することにより、検索対象となる時間範囲内に、前記定期視聴番組データに示されるデジタル放送番組の放送予定がないことを確認する。
【００５９】
図８のフローチャートの処理において、Ｓ２０２の放送予定確認処理で、Ｓ２０１で視聴情報記憶領域１３２内の定期視聴番組データベースから読み込んだ定期視聴番組データに示されるデジタル放送番組の放送予定があることが確認された場合、主制御部１０１は、次に、前記放送予定があることが確認されたデジタル放送番組が、通常録画予約番組（番組表示装置１００の使用者の指示により録画予約されたデジタル放送番組）として、番組記録領域１３３内の通常録画予約一覧に登録されているか否かを確認する処理を行う（Ｓ２０３）。更に、Ｓ２０３において、前記放送予定があることが確認されたデジタル放送番組が番組記録領域１３３内の通常録画予約一覧に登録されていない場合、前記放送予定があることが確認されたデジタル放送番組を、自動録画予約番組として、番組記録領域１３３内の自動録画予約一覧に登録する処理を行う（Ｓ２０４）。
【００６０】
図１０は、番組記録領域１３３内に構築される自動録画予約一覧の構成を示す図である。本実施例では、デジタル放送の番組表から取得した自動録画予約番組の情報の、『番組名』、『チャンネル』、『放送予定日』、『放送開始時刻』と『放送終了時刻』の情報を登録する。なお、図１０に示した例は、提供されたデジタル放送の番組表が図９（Ａ）に示したものであり、Ｓ２０２の放送予定確認処理で、Ｓ２０１で視聴情報記憶領域１３２内の定期視聴番組データベースから読み込んだ定期視聴番組データに示されるデジタル放送番組の放送予定として、『７月１７日（火）』の『０６１』チャンネルの『２１時３０分から２２時２４分まで』放送される『ＡＡＡ  （第８回）』という番組名のデジタル放送番組が確認された場合の例を示している。
【００６１】
一方、Ｓ２０３において、前記放送予定があることが確認されたデジタル放送番組が番組記録領域１３３内の通常録画予約一覧に既に登録されている場合、主制御部は、Ｓ２０４の処理を行わず、前記放送予定があることが確認されたデジタル放送番組を示す前記定期視聴番組データを、視聴情報記憶領域１３２内の定期視聴番組データベースから削除する処理を行う（Ｓ２０５）。
【００６２】
Ｓ２０２の放送予定確認処理で、Ｓ２０１で視聴情報記憶領域１３２内の定期視聴番組データベースから読み込んだ定期視聴番組データに示されるデジタル放送番組の放送予定がないことが確認された場合、主制御部１０１は、Ｓ２０１で読み込んだ前記定期視聴番組データの『登録日』の情報と現在の日付を比較する（Ｓ２０６）。なお、前記現在の日付は、情報デコーダ１１５において付随情報データから取得した情報を使用しても良いし、番組表示装置１００がタイマを内蔵し、前記内蔵したタイマから取得した情報を使用しても良い。
【００６３】
Ｓ２０６において、Ｓ２０１で読み込んだ前記定期視聴番組データの『登録日』の情報が、現在の日付から所定期間（例えば、一カ月）以内である場合には、主制御部１０１は、前記定期視聴番組データの『放送予定日』の情報を更新する処理を行う（Ｓ２０７）。一方、Ｓ２０６において、Ｓ２０１で読み込んだ前記定期視聴番組データの『登録日』の情報が、現在の日付から所定期間以内ではない場合には、主制御部１０１は、前記定期視聴番組データを、視聴情報記憶領域１３２内の定期視聴番組データベースから削除する処理を行う（Ｓ２０５）。
【００６４】
図１１は、Ｓ２０６における、Ｓ２０１で読み込んだ前記定期視聴番組データの『登録日』の情報と現在の日付の比較処理の結果に基づいて、主制御部１０１が行う、視聴情報記憶領域１３２内の定期視聴番組データベースに記憶されている定期視聴番組データの『放送予定日』の情報を更新する処理（Ｓ２０７）、及び定期視聴番組データを視聴情報記憶領域１３２内の定期視聴番組データベースから削除する処理（Ｓ２０５）、を説明する図である。なお、図１１においては、現在の日付が『７月１７日（火）』であるものとして、説明を行う。
【００６５】
図１１（Ａ）に示した例では、視聴情報記憶領域１３２内の定期視聴番組データベースに記憶されている定期視聴番組データの『登録日』に示される日付は『７月１０日（火）』であり、現在の日付（『７月１７日（火）』）から所定期間（一カ月）以内である。したがって、この場合は、前記定期視聴番組データの『フラグ』の情報を確認し、前記確認した『フラグ』の情報が『週毎』であることに基づいて、『放送予定日』の情報を、現状の『７月１７日（火）』から一週間後の『７月２４日（火）』に変更する処理を行う。なお、前記確認した『フラグ』の情報が『日毎』である場合は、『放送予定日』の情報を現状の日付から一日後の日付に更新するように処理すれば良い。
【００６６】
前記『放送予定日』の情報を更新する処理により、視聴情報記憶領域１３２内の定期視聴番組データベースに記憶されている前記定期視聴番組データに示されるデジタル放送番組が、『７月１７日（火）』に放送予定がなく、自動録画予約一覧への登録が為されなかった場合でも、一週間後の『７月２４日（火）』に再度放送予定確認処理が行われることになる。このため、番組表示装置１００の使用者が週毎若しくは日毎に定期的に視聴しているデジタル放送番組が単発的に放送を休止した場合等に対応することが可能となる。
【００６７】
一方、図１１（Ｂ）に示した例では、視聴情報記憶領域１３２内の定期視聴番組データベースに記憶されている定期視聴番組データの『登録日』に示される日付は『６月１２日（火）』であり、現在の日付（『７月１７日（火）』）から所定期間（一カ月）以内ではない。したがって、この場合は、前記定期視聴番組データを視聴情報記憶領域１３２内の定期視聴番組データベースから削除する処理を行う。即ち、前記定期視聴番組データに示されるデジタル放送番組は、過去一カ月以上に亘り放送予定がなかったことから、週毎若しくは日毎の定期的な放送が終了したものと判断するものである。
【００６８】
次に、本実施例の番組表示装置１００は、番組記録領域１３３内の自動録画予約一覧に登録した自動録画予約番組を、番組表示装置１００の動作状態に応じて録画する自動録画処理を行う。図１２は、自動録画予約一覧に登録した自動録画予約番組の自動録画処理を説明するフローチャートである。
【００６９】
自動録画処理では、主制御部１０１が、まず、番組記録領域１３３内の自動録画予約一覧に登録されている自動録画予約番組の各情報を確認する（Ｓ３０１）。この後、Ｓ３０１で確認した前記自動録画予約番組の『放送開始時刻』に示される時刻の所定時間前（例えば、３０秒前）まで待機（Ｓ３０２）し、次に、主制御部１０１が番組表示装置１００の動作状態の確認を行う（Ｓ３０３）。
【００７０】
Ｓ３０３における動作状態の確認の結果、番組表示装置１００が電源オフ状態であると判断された場合、主制御部１０１は、番組表示装置１００を録画スタンバイ状態に移行させ、更に、前記自動録画予約番組の『放送開始時刻』に示される時刻の所定時間前（例えば、３秒前）まで再度待機する（Ｓ３０４）。その後、前記自動録画予約番組を選局して、自動録画を開始する（Ｓ３０５）。Ｓ３０５において、前記自動録画予約番組の自動録画を開始した後、若しくは前記自動録画の終了後、主制御部１０１は、前記自動録画予約番組の情報を番組記録領域１３３内の自動録画予約一覧から削除する（Ｓ３０６）。
【００７１】
なお、本実施例においては、前記電源オフ状態とは、少なくとも主制御部１０１への通電が行われた状態で、且つ表示部１２１での映像表示が行われていない状態を指す。また、前記録画スタンバイ状態とは、少なくとも主制御部１０１及び放送受信部１１０、ストレージ部１３０への通電が行われた状態で、デジタル放送番組の録画をすぐに開始可能であり、且つ表示部１２１での映像表示が行われていない状態を指す。
【００７２】
一方、Ｓ３０３における動作状態の確認の結果、番組表示装置１００が電源オン状態であると判断された場合は、主制御部１０１は、Ｓ３０４及びＳ３０５の処理を行わずに、前記自動録画予約番組の情報を番組記録領域１３３内の自動録画予約一覧から削除する処理を行う（Ｓ３０６）。
【００７３】
なお、本実施例においては、前記電源オン状態とは、表示部１２１で映像表示が行われている状態を指す。即ち、Ｓ３０３における動作状態の確認の結果、番組表示装置１００が電源オン状態であると判断された場合とは、番組表示装置１００の使用者が、番組表示装置１００を使用して何らかのデジタル放送番組を視聴している場合が考えられる。したがって、番組表示装置１００の使用者は番組表示装置１００を使用して前記自動録画予約番組を視聴可能であると判断し、自動録画を開始しないようにする。
【００７４】
また、Ｓ３０５で自動録画を行ったデジタル放送番組（自動録画予約番組）を再生する際に、主制御部１０１が、前記再生したデジタル放送番組から取得した番組情報を、視聴履歴データとして、視聴情報記憶領域１３２内の視聴情報データベースに記憶する処理を行うようにすると良い。更に、前記取得した番組情報を用いて、定期視聴判断処理及び定期視聴番組データの登録処理を行うようにすると良い。
【００７５】
以上の処理により、本実施例の番組表示装置１００においては、番組表示装置１００の使用者が視聴したデジタル放送番組の視聴履歴データを記憶するとともに、前記視聴履歴データを解析して抽出した、番組表示装置１００の使用者が週毎若しくは日毎に定期的に視聴しているデジタル放送番組を、デジタル放送の番組予定表を参照して自動的に録画予約することができる。更に、前記自動的に録画予約したデジタル放送番組を、番組表示装置１００の動作状態に応じて録画することが可能となる。この結果、番組表示装置１００の使用者が週毎若しくは日毎に定期的に視聴しているデジタル放送番組が放送される時刻に、番組表示装置１００の使用者が、番組表示装置１００を視聴可能な場所にいない場合でも、番組表示装置１００の使用者は、前記録画したデジタル放送番組を後刻再生して、視聴することが可能となる。即ち、番組表示装置１００の使用者は、週毎若しくは日毎に定期的に視聴しているデジタル放送番組の見逃しを回避することができる。
【００７６】
また、図１２に示した自動録画処理により自動録画予約番組の自動録画を実行した後、最初に番組表示装置１００が電源オン状態になった際に、主制御部１０１が、表示処理部１２２を制御することにより、自動録画処理により自動録画予約番組の自動録画を行ったことを番組表示装置１００の使用者に知らせるための表示を、表示部１２１に行うようにすると良い。即ち、自動録画予約番組は番組表示装置１００の使用者の指示によらずに録画予約されたデジタル放送番組であり、したがって、番組表示装置１００の使用者が前記自動録画予約番組の自動録画が行われたことに気づかない可能性があるからである。
【００７７】
自動録画処理により自動録画予約番組の自動録画を行ったことを番組表示装置１００の使用者に知らせるための表示の例を、図１３に示す。例えば、図１３（Ａ）では、番組表示装置１００を電源オン状態にした際に、表示部１２１に、デジタル放送番組の映像１２１ａに重ねてＯＳＤメッセージ１２１ｂを表示するようにする。また例えば、図１３（Ｂ）では、番組表示装置１００を電源オン状態にした際に、表示部１２１に、デジタル放送番組の映像１２１ａと自動録画により記録した自動録画予約番組の映像１２１ｃ〜１２１ｇを並べて表示するようにする。
【００７８】
前記表示を行うことにより、番組表示装置１００の使用者が前記自動録画予約番組の自動録画が行われたことに気づかずにいることを回避することができる。
【実施例２】
【００７９】
以下では、本発明の実施例２に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。
【００８０】
本実施例の番組表示装置１００の構成は、図１に示した実施例１の構成と同様であるものとする。但し、本実施例においては、放送受信部１１０は同時に複数のデジタル放送番組を受信可能であるものとする。また、デジタル放送番組を視聴する際に行う、視聴履歴記憶処理、定期視聴判断処理及び定期視聴番組データの登録処理や、自動録画予約処理、等は、前記実施例１と同様の処理を行うものとする。
【００８１】
本実施例の番組表示装置１００が行う、自動録画予約一覧に登録した自動録画予約番組の自動録画処理に関して、図１４を用いて説明する。
【００８２】
本実施例の自動録画処理では、主制御部１０１が、まず、番組記録領域１３３内の自動録画予約一覧に登録されている自動録画予約番組の各情報を確認する（Ｓ４０１）。この後、Ｓ４０１で確認した前記自動録画予約番組の『放送開始時刻』に示される時刻の所定時間前（例えば、３０秒前）まで待機（Ｓ４０２）し、次に、主制御部１０１が番組表示装置１００の動作状態の確認を行う（Ｓ４０３）。
【００８３】
Ｓ４０３における動作状態の確認の結果、番組表示装置１００が電源オフ状態であると判断された場合は、実施例１の場合と同様に、主制御部１０１は、番組表示装置１００を録画スタンバイ状態に移行させ、更に、前記自動録画予約番組の『放送開始時刻』に示される時刻の所定時間前（例えば、３秒前）まで再度待機する（Ｓ４０４）。その後、前記自動録画予約番組をチューナ１１１内のメインチューナで選局して、自動録画を開始する（Ｓ４０５）。Ｓ４０５において、前記自動録画予約番組の自動録画を開始した後、若しくは前記自動録画の終了後、主制御部１０１は、前記自動録画予約番組の情報を番組記録領域１３３内の自動録画予約一覧から削除する（Ｓ４０６）。
【００８４】
一方、Ｓ４０３における動作状態の確認の結果、番組表示装置１００が電源オン状態であると判断された場合、次に、主制御部１０１は、チューナ１１１内のメインチューナが選局しているデジタル放送番組のチャンネルを確認する（Ｓ４０７）。Ｓ４０７におけるチャンネル確認の結果、チューナ１１１内のメインチューナが前記自動録画予約番組と同一のチャンネルを選局している場合は、主制御部１０１は、Ｓ４０４及びＳ４０５の処理を行わずに、前記自動録画予約番組の情報を番組記録領域１３３内の自動録画予約一覧から削除する処理を行う（Ｓ４０６）。
【００８５】
Ｓ４０７におけるチャンネル確認の結果、チューナ１１１内のメインチューナが前記自動録画予約番組と同一のチャンネルを選局していない場合には、主制御部１０１は、前記自動録画予約番組の『放送開始時刻』に示される時刻の所定時間前（例えば、３秒前）まで再度待機（Ｓ４０４）し、その後、前記自動録画予約番組をチューナ１１１内のサブチューナで選局して、自動録画を開始する（Ｓ４０５）。
【００８６】
以上の処理により、本実施例の番組表示装置１００では、番組表示装置１００の使用者が週毎若しくは日毎に定期的に視聴しているデジタル放送番組が放送される時刻に、番組表示装置１００の使用者が、番組表示装置１００を使用して前記定期的に視聴しているデジタル放送番組とは異なるデジタル放送番組を視聴している場合においても、番組表示装置１００の使用者は、番組表示装置１００の使用者が週毎若しくは日毎に定期的に視聴しているデジタル放送番組を録画して、後刻再生することにより、視聴することが可能となる。即ち、番組表示装置１００の使用者は、週毎若しくは日毎に定期的に視聴しているデジタル放送番組の見逃しを回避することができる。
【実施例３】
【００８７】
以下では、本発明の実施例３に関して説明する。なお、本実施例における構成及び効果等も特に断りのない限り実施例１と同様であるものとする。このため、以下では、本実施例と実施例１との相違点を主に説明し、共通する点については重複を避けるため極力説明を省略する。
【００８８】
本実施例の番組表示装置１００の構成も、図１に示した実施例１の構成と同様であるものとする。また、デジタル放送番組を視聴する際に行う、視聴履歴記憶処理、定期視聴判断処理及び定期視聴番組データの登録処理や、自動録画予約処理、等も、前記実施例１と同様の処理を行うものとする。
【００８９】
本実施例の番組表示装置１００が行う、自動録画予約一覧に登録した自動録画予約番組の自動録画処理に関して、図１５を用いて説明する。
【００９０】
本実施例の自動録画処理では、主制御部１０１が、まず、番組記録領域１３３内の自動録画予約一覧に登録されている自動録画予約番組の各情報を確認する（Ｓ５０１）。この後、Ｓ５０１で確認した前記自動録画予約番組の『放送開始時刻』に示される時刻の所定時間前（例えば、３０分前）まで待機する（Ｓ５０２）。次に、前記自動録画予約番組の自動録画を実行するか否かを番組表示装置１００の使用者に確認するためのメールを、メール制御部１５２が作成し、更に、前記作成したメールを、個人情報記憶領域１３１に予め記憶しておいた番組表示装置１００の使用者が所有する携帯端末のアドレスに向けて、メール送受信部１５１が送信する（Ｓ５０３）。その後、前記送信メールに対する返信があったか否かの確認を行う（Ｓ５０４）。
【００９１】
図１６（Ａ）に、Ｓ５０３で、メール制御部１５２が作成し、メール送受信部１５１が送信するメールの記述内容の例を示す。図１６（Ａ）に示した記述内容のメールを受信した番組表示装置１００の使用者は、前記受信したメールの内容を確認し、前記メールに記載されている自動録画予約番組の自動録画を番組表示装置１００に実行させたい場合には、前記メールに対する返信は行わず、前記自動録画予約番組の自動録画を番組表示装置１００に実行させたくない場合には、前記メールに対する返信を行うようにする。
【００９２】
番組表示装置１００においては、Ｓ５０１で確認した前記自動録画予約番組の『放送開始時刻』に示される時刻の所定時間前（例えば、３０秒前）まで待機（Ｓ５０５）しつつ、Ｓ５０４の処理（Ｓ５０３で送信したメールに対する返信があったか否かを確認する処理）を継続する。Ｓ５０４及びＳ５０５の処理の結果、Ｓ５０１で確認した前記自動録画予約番組の『放送開始時刻』に示される時刻の所定時間前（例えば、３０秒前）まで、Ｓ５０３で送信したメールに対する返信がなかった場合、次に、主制御部１０１が番組表示装置１００の動作状態の確認を行う（Ｓ５０６）。
【００９３】
Ｓ５０６における動作状態の確認の結果、番組表示装置１００が電源オフ状態であると判断された場合、主制御部１０１は、番組表示装置１００を録画スタンバイ状態に移行させ、更に、前記自動録画予約番組の『放送開始時刻』に示される時刻の所定時間前（例えば、３秒前）まで再度待機する（Ｓ５０７）。その後、前記自動録画予約番組を選局して、自動録画を開始する（Ｓ５０８）。Ｓ５０８において、前記自動録画予約番組の自動録画を開始した後、若しくは前記自動録画の終了後、主制御部１０１は、前記自動録画予約番組の情報を番組記録領域１３３内の自動録画予約一覧から削除する（Ｓ５０９）。
【００９４】
一方、Ｓ５０４及びＳ５０５の処理の結果、Ｓ５０１で確認した前記自動録画予約番組の『放送開始時刻』に示される時刻の所定時間前（例えば、３０秒前）までに、Ｓ５０３で送信したメールに対する返信をメール送受信部１５１が受信した場合、主制御部１０１は、Ｓ５０５〜Ｓ５０８の処理を行わずに、前記自動録画予約番組の情報を番組記録領域１３３内の自動録画予約一覧から削除する処理を行う（Ｓ５０９）。
【００９５】
以上の処理により、本実施例の番組表示装置１００では、番組表示装置１００の使用者が週毎若しくは日毎に定期的に視聴しているデジタル放送番組が放送される時刻の前に、前記週毎若しくは日毎に定期的に視聴しているデジタル放送番組の自動録画を行うか否かを、メール送受信を介して、番組表示装置１００の使用者に確認することが可能となる。即ち、番組表示装置１００の使用者が必要としないデジタル放送番組の自動録画を回避することができる。
【００９６】
なお、Ｓ５０３で、メール制御部１５２が作成し、メール送受信部１５１が送信するメールの記述内容を、図１６（Ｂ）に示すような内容としても良い。この場合、Ｓ５０４及びＳ５０５の処理において、Ｓ５０１で確認した前記自動録画予約番組の『放送開始時刻』に示される時刻の所定時間前（例えば、３０秒前）までに、Ｓ５０３で送信したメールに対する返信をメール送受信部１５１が受信した場合に、Ｓ５０５〜Ｓ５０８の処理を実行するようにすれば良い。
【実施例４】
【００９７】
以下では、本発明の実施例４に関して説明する。なお、本実施例における構成及び効果等も特に断りのない限り実施例１と同様であるものとする。このため、以下では、本実施例と実施例１との相違点を主に説明し、共通する点については重複を避けるため極力説明を省略する。
【００９８】
本実施例の番組表示装置１００の構成は、図１に示した実施例１の構成と同様であるものとする。但し、本実施例の番組表示装置１００は、インターネット等のネットワークへの接続機能、及びネットワーク検索やその他のアプリケーションの実行機能を有し、デジタル放送の受信機能及び録画再生機能を備えたインターネット対応テレビ装置若しくはタブレット端末等であるものとし、表示部１２１は、デジタル放送番組の映像と前記インターネット接続やネットワーク検索、その他のアプリケーションの実行画面の何れか一方を選択的に表示可能であるものとする。また、デジタル放送番組を視聴する際に行う、視聴履歴記憶処理、定期視聴判断処理及び定期視聴番組データの登録処理や、自動録画予約処理、等は、前記実施例１と同様の処理を行うものとする。
【００９９】
本実施例の番組表示装置１００が行う、自動録画予約一覧に登録した自動録画予約番組の自動録画処理に関して、図１７を用いて説明する。
【０１００】
本実施例の自動録画処理では、主制御部１０１が、まず、番組記録領域１３３内の自動録画予約一覧に登録されている自動録画予約番組の各情報を確認する（Ｓ６０１）。この後、Ｓ６０１で確認した前記自動録画予約番組の『放送開始時刻』に示される時刻の所定時間前（例えば、３０秒前）まで待機（Ｓ６０２）し、次に、主制御部１０１が番組表示装置１００の動作状態の確認を行う（Ｓ６０３）。
【０１０１】
Ｓ６０３における動作状態の確認の結果、番組表示装置１００が電源オフ状態であると判断された場合は、実施例１の場合と同様に、主制御部１０１は、番組表示装置１００を録画スタンバイ状態に移行させ、更に、前記自動録画予約番組の『放送開始時刻』に示される時刻の所定時間前（例えば、３秒前）まで再度待機する（Ｓ６０４）。その後、前記自動録画予約番組を選局して、自動録画を開始する（Ｓ６０５）。Ｓ６０５において、前記自動録画予約番組の自動録画を開始した後、若しくは前記自動録画の終了後、主制御部１０１は、前記自動録画予約番組の情報を番組記録領域１３３内の自動録画予約一覧から削除する（Ｓ６０６）。
【０１０２】
一方、Ｓ６０３における動作状態の確認の結果、番組表示装置１００が電源オン状態であると判断された場合、次に、主制御部１０１は、インターネット接続やネットワーク検索、その他のアプリケーションが実行されているか否かの確認を行う（Ｓ６０７）。因みに、本実施例では、前記インターネット接続やネットワーク検索、その他のアプリケーションが実行されている場合、表示部１２１には、前記インターネット接続やネットワーク検索、その他のアプリケーションの実行画面が選択されて表示されるものとする。Ｓ６０７において、前記インターネット接続やネットワーク検索、その他のアプリケーションが実行されている場合、主制御部１０１は、前記自動録画予約番組の『放送開始時刻』に示される時刻の所定時間前（例えば、３秒前）まで再度待機（Ｓ６０４）し、その後、前記自動録画予約番組を選局して、自動録画を開始する（Ｓ６０５）。
【０１０３】
また、Ｓ６０７において、前記インターネット接続やネットワーク検索、その他のアプリケーションが実行されていない場合、即ち、表示部１２１にデジタル放送番組の映像が選択されて表示されている場合、主制御部１０１は、Ｓ６０４及びＳ６０５の処理を行わずに、前記自動録画予約番組の情報を番組記録領域１３３内の自動録画予約一覧から削除する処理を行う（Ｓ６０６）。
【０１０４】
以上の処理により、本実施例の番組表示装置１００では、番組表示装置１００の使用者が週毎若しくは日毎に定期的に視聴しているデジタル放送番組が放送される時刻に、番組表示装置１００の使用者が、番組表示装置１００を使用してインターネット接続やネットワーク検索、その他のアプリケーション操作を行っている場合においても、番組表示装置１００の使用者は、番組表示装置１００の使用者が週毎若しくは日毎に定期的に視聴しているデジタル放送番組を録画して、後刻再生することにより、視聴することが可能となる。即ち、番組表示装置１００の使用者は、週毎若しくは日毎に定期的に視聴しているデジタル放送番組の見逃しを回避することができる。
【０１０５】
なお、本実施例の表示部１２１が、デジタル放送番組の映像と前記インターネット接続やネットワーク検索、その他のアプリケーションの実行画面をウィンドウ形式でマルチ表示できる場合、Ｓ６０７の確認処理において、図１８（Ａ）に示すように、デジタル放送番組の映像を表示するウィンドウ１２１ｈが主たるウィンドウとして選択されている（主として表示されている）場合は、『アプリケーションが実行されていない』ものとして取り扱い、図１８（Ｂ）に示すように、前記インターネット接続やネットワーク検索、その他のアプリケーションの実行画面を表示するウィンドウ１２１ｉが主たるウィンドウとして選択されている（主として表示されている）場合は、『アプリケーションが実行されている』ものとして取り扱うようにすれば良い。
【０１０６】
また、デジタル放送番組の映像を、デジタル放送番組を表示するアプリケーションの実行画面と解釈することも可能であり、この場合、Ｓ６０７の確認処理においては、前記デジタル放送番組を表示するアプリケーション以外のアプリケーションが実行されている場合は『Ｙｅｓ』側を選択し、前記デジタル放送番組を表示するアプリケーションが実行されている場合は『Ｎｏ』側を選択するように制御すれば良い。
【実施例５】
【０１０７】
以下では、本発明の実施例５に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。
【０１０８】
本実施例の番組表示装置１００の構成は、図１に示した実施例１の構成と同様であるものとする。また、デジタル放送番組を視聴する際に行う、視聴履歴記憶処理、定期視聴判断処理及び定期視聴番組データの登録処理、等は、前記実施例１と同様の処理を行うものとする。但し、本実施例においては、デジタル放送番組の自動録画予約処理は行わず、代わりに、デジタル放送番組の自動視聴予約処理を行うものとする。
【０１０９】
本実施例の番組表示装置１００が行う自動視聴予約処理を、図１９のフローチャートを用いて説明する。
【０１１０】
自動視聴予約処理においては、まず、主制御部１０１が視聴情報記憶領域１３２内の定期視聴番組データベースに登録されている定期視聴番組データを読み込む（Ｓ７０１）。次に、主制御部１０１は、デジタル放送の番組表を参照することにより、Ｓ７０１で読み込んだ定期視聴番組データに示されるデジタル放送番組の放送予定があるか否かを確認する放送予定確認処理を行う（Ｓ７０２）。なお、前記放送予定確認処理は実施例１で説明した処理と同様で良い。
【０１１１】
Ｓ７０２の放送予定確認処理で、Ｓ７０１で視聴情報記憶領域１３２内の定期視聴番組データベースから読み込んだ定期視聴番組データに示されるデジタル放送番組の放送予定があることが確認された場合、主制御部１０１は、次に、前記放送予定があることが確認されたデジタル放送番組を、自動視聴予約番組として、番組記録領域１３３内の自動視聴予約一覧に登録する処理を行う（Ｓ７０３）。
【０１１２】
図２０は、番組記録領域１３３内に構築される自動視聴予約一覧の構成を示す図である。本実施例では、実施例１で説明した自動録画予約一覧の構成と同様に、デジタル放送の番組表から取得した自動視聴予約番組の情報の、『番組名』、『チャンネル』、『放送予定日』、『放送開始時刻』の情報を登録する。なお、『放送終了時刻』の情報は登録しなくても良い。
【０１１３】
Ｓ７０２の放送予定確認処理で、Ｓ７０１で視聴情報記憶領域１３２内の定期視聴番組データベースから読み込んだ定期視聴番組データに示されるデジタル放送番組の放送予定がないことが確認された場合、主制御部１０１は、Ｓ７０１で読み込んだ前記定期視聴番組データの『登録日』の情報と現在の日付を比較する（Ｓ７０４）。
【０１１４】
Ｓ７０４において、Ｓ７０１で読み込んだ前記定期視聴番組データの『登録日』の情報が、現在の日付から所定期間（例えば、一カ月）以内である場合には、主制御部１０１は、前記定期視聴番組データの『放送予定日』の情報を更新する処理を行う（Ｓ７０５）。一方、Ｓ７０４において、Ｓ７０１で読み込んだ前記定期視聴番組データの『登録日』の情報が、現在の日付から所定期間以内ではない場合には、主制御部１０１は、前記定期視聴番組データを、視聴情報記憶領域１３２内の定期視聴番組データベースから削除する処理を行う（Ｓ７０６）。
【０１１５】
なお、前述の、視聴情報記憶領域１３２内の定期視聴番組データベースに記憶されている定期視聴番組データの『放送予定日』の情報を更新する処理（Ｓ７０５）、及び定期視聴番組データを視聴情報記憶領域１３２内の定期視聴番組データベースから削除する処理（Ｓ７０６）は、実施例１で説明した処理と同様の処理を行えば良い。
【０１１６】
次に、本実施例の番組表示装置１００は、番組記録領域１３３内の自動視聴予約一覧に登録した自動視聴予約番組を、番組表示装置１００の動作状態に応じて表示する自動視聴処理を行う。図２１は、自動視聴予約一覧に登録した自動視聴予約番組の自動視聴処理を説明するフローチャートである。
【０１１７】
自動視聴処理では、主制御部１０１が、まず、番組記録領域１３３内の自動視聴予約一覧に登録されている自動視聴予約番組の各情報を確認する（Ｓ８０１）。この後、Ｓ８０１で確認した前記自動視聴予約番組の『放送開始時刻』に示される時刻の所定時間前（例えば、３０秒前）まで待機（Ｓ８０２）し、次に、主制御部１０１が番組表示装置１００の動作状態の確認を行う（Ｓ８０３）。
【０１１８】
Ｓ８０３における動作状態の確認処理の結果、番組表示装置１００が電源オフ状態であると判断された場合、主制御部１０１は、番組表示装置１００を視聴スタンバイ状態に移行させ、更に、前記自動視聴予約番組の『放送開始時刻』に示される時刻の所定時間前（例えば、３秒前）まで再度待機し（Ｓ８０４）、人感センサ１７３の検出結果を確認する（Ｓ８０５）。Ｓ８０５での人感センサ１７３の検出結果の確認処理において、番組表示装置１００の周辺に人物が存在すると判断された場合には、主制御部１０１は前記自動視聴予約番組を選局して、表示部１２１に表示する（Ｓ８０６）。Ｓ８０６において、前記自動視聴予約番組の表示を開始した後、主制御部１０１は、前記自動視聴予約番組の情報を番組記録領域１３３内の自動視聴予約一覧から削除する（Ｓ８０７）。
【０１１９】
Ｓ８０５での人感センサ１７３の検出結果の確認処理において、番組表示装置１００の周辺に人物が存在しないと判断された場合には、主制御部１０１は前記自動視聴予約番組の選局及び表示を行わずに、前記自動視聴予約番組の情報を番組記録領域１３３内の自動視聴予約一覧から削除する処理を行う（Ｓ８０７）。
【０１２０】
なお、本実施例においては、前記電源オフ状態とは、少なくとも主制御部１０１への通電が行われた状態で、且つ表示部１２１での映像表示が行われていない状態を指す。また、前記視聴スタンバイ状態とは、少なくとも主制御部１０１及び放送受信部１１０、人感センサ１７３への通電が行われた状態で、デジタル放送番組の表示をすぐに開始可能であり、且つ表示部１２１での映像表示が行われていない状態を指す。
【０１２１】
また、前述の自動視聴処理により前記自動視聴予約番組の映像表示を開始した場合、例えば図２２（Ａ）に示すような、自動視聴処理によりデジタル放送番組の映像表示を開始した旨を番組表示装置１００の使用者に知らせるためのＯＳＤメッセージ１２１ｊを表示するようにすると良い。前記ＯＳＤメッセージ１２１ｊは、所定時間の間、若しくは映像表示装置１００の使用者が映像表示装置１００に対して何らかの操作を行うまで、表示を続けるようにする。
【０１２２】
一方、Ｓ８０３における動作状態の確認処理の結果、番組表示装置１００が電源オン状態であると判断された場合、次に、主制御部１０１は、チューナ１１１が選局しているデジタル放送番組のチャンネルを確認する（Ｓ８０８）。なお、本実施例においては、前記電源オン状態とは、表示部１２１で映像表示が行われている状態を指す。
【０１２３】
Ｓ８０８におけるチャンネル確認処理の結果、チューナ１１１が前記自動視聴予約番組と異なるチャンネルを選局している場合、主制御部１０１は、例えば図２２（Ｂ）に示すようなＯＳＤメッセージ１２１ｋを表示して、番組表示装置１００の使用者に、前記自動視聴予約番組の選局を行うか否かの確認を行う（Ｓ８０９）。Ｓ８０９の確認処理の結果、番組表示装置１００の使用者が前記自動視聴予約番組の選局を行うことを選択した場合、主制御部１０１は前記自動視聴予約番組を選局して、表示部１２１に映像表示する（Ｓ８０６）。番組表示装置１００の使用者が前記自動視聴予約番組の選局を行わないことを選択した場合、主制御部１０１は、現在選局されているデジタル放送番組の表示を継続したまま、前記自動視聴予約番組の情報を番組記録領域１３３内の自動視聴予約一覧から削除する処理を行う（Ｓ８０７）。
【０１２４】
また、Ｓ８０８におけるチャンネル確認処理の結果、チューナ１１１が前記自動視聴予約番組と同一のチャンネルを選局している場合は、主制御部１０１は、Ｓ８０９の処理を行わずに、前記自動視聴予約番組の情報を番組記録領域１３３内の自動視聴予約一覧から削除する処理を行う（Ｓ８０７）。
【０１２５】
以上の処理により、本実施例の番組表示装置１００においては、番組表示装置１００の使用者が視聴したデジタル放送番組の視聴履歴データを記憶するとともに、前記視聴履歴データを解析して抽出した、番組表示装置１００の使用者が週毎若しくは日毎に定期的に視聴しているデジタル放送番組を、デジタル放送の番組予定表を参照して自動的に視聴予約することができる。更に、前記自動的に視聴予約したデジタル放送番組を、番組表示装置１００の動作状態に応じて映像表示することが可能となる。即ち、番組表示装置１００の使用者は、週毎若しくは日毎に定期的に視聴しているデジタル放送番組の見逃しを回避することができる。
【実施例６】
【０１２６】
以下では、本発明の実施例６に関して説明する。なお、本実施例における構成及び効果等は特に断りのない限り実施例５と同様であるものとする。このため、以下では、本実施例と実施例５との相違点を主に説明し、共通する点については重複を避けるため極力説明を省略する。
【０１２７】
本実施例の番組表示装置１００の構成も実施例５の構成と同様であるものとする。また、デジタル放送番組を視聴する際に行う、視聴履歴記憶処理、定期視聴判断処理及び定期視聴番組データの登録処理や、自動視聴予約処理、等も、前記実施例５と同様の処理を行うものとする。
【０１２８】
本実施例の番組表示装置１００が行う、自動視聴予約一覧に登録した自動視聴予約番組の自動視聴処理に関して、図２３を用いて説明する。
【０１２９】
本実施例の自動視聴処理では、主制御部１０１が、まず、番組記録領域１３３内の自動視聴予約一覧に登録されている自動視聴予約番組の各情報を確認する（Ｓ９０１）。この後、Ｓ９０１で確認した前記自動視聴予約番組の『放送開始時刻』に示される時刻の所定時間前（例えば、５分前）まで待機する（Ｓ９０２）。次に、前記自動視聴予約番組の自動視聴を実行するか否かを番組表示装置１００の使用者に確認するためのメールを、メール制御部１５２が作成し、更に、前記作成したメールを、個人情報記憶領域１３１に予め記憶しておいた番組表示装置１００の使用者が所有する携帯端末のアドレスに向けて、メール送受信部１５１が送信する（Ｓ９０３）。その後、前記送信メールに対する返信があったか否かの確認を行う（Ｓ９０４）。
【０１３０】
図２４に、Ｓ９０３で、メール制御部１５２が作成し、メール送受信部１５１が送信するメールの記述内容の例を示す。図２４に示した記述内容のメールを受信した番組表示装置１００の使用者は、前記受信したメールの内容を確認し、前記メールに記載されている自動視聴予約番組を番組表示装置１００で映像表示させたい場合には、前記メールに対する返信を行うようにし、前記自動視聴予約番組を番組表示装置１００で映像表示させたくない場合には、前記メールに対する返信を行わないようにする。
【０１３１】
番組表示装置１００においては、Ｓ９０１で確認した前記自動視聴予約番組の『放送開始時刻』に示される時刻の所定時間前（例えば、３０秒前）まで待機（Ｓ９０５）しつつ、Ｓ９０４の処理（Ｓ９０３で送信したメールに対する返信があったか否かを確認する処理）を継続する。Ｓ９０４及びＳ９０５の処理の結果、Ｓ９０１で確認した前記自動録画予約番組の『放送開始時刻』に示される時刻の所定時間前（例えば、３０秒前）までにＳ９０３で送信したメールに対する返信があった場合、Ｓ９０１で確認した前記自動視聴予約番組の『放送開始時刻』に示される時刻の所定時間前（例えば、３０秒前）まで改めて待機（Ｓ９０６）し、次にＳ９０７に示される処理を行う。なお、前記Ｓ９０７の処理は、図２１に示したフローチャートの破線で囲んだ部分と同一の処理であるため、詳細な説明は省略する。
【０１３２】
一方、Ｓ９０４及びＳ９０５の処理の結果、Ｓ９０１で確認した前記自動視聴予約番組の『放送開始時刻』に示される時刻の所定時間前（例えば、３０秒前）までに、Ｓ９０３で送信したメールに対する返信をメール送受信部１５１が受信しなかった場合、主制御部１０１は、Ｓ９０６〜Ｓ９０７の処理を行わずに、前記自動視聴予約番組の情報を番組記録領域１３３内の自動視聴予約一覧から削除する処理を行う（Ｓ９０８）。
【０１３３】
以上の処理により、本実施例の番組表示装置１００では、番組表示装置１００の使用者が週毎若しくは日毎に定期的に視聴しているデジタル放送番組が放送される時刻の前に、前記週毎若しくは日毎に定期的に視聴しているデジタル放送番組の映像表示を行うか否かを、メール送受信を介して、番組表示装置１００の使用者に確認することが可能となる。
【実施例７】
【０１３４】
以下では、本発明の実施例７に関して説明する。なお、本実施例においては、実施例３または実施例６で説明した番組表示装置１００から送信されたメールを受信可能であり、前記受信したメールに対する返信メールの送信が可能な携帯端末に関する説明を行う。
【０１３５】
実施例３または実施例６で説明した番組表示装置１００から送信された、前記週毎若しくは日毎に定期的に視聴しているデジタル放送番組の自動録画を行うか否かを確認するためのメール、或いは前記週毎若しくは日毎に定期的に視聴しているデジタル放送番組の映像表示を行うか否かを確認するためのメールを、番組表示装置１００の使用者が自らの所有する携帯端末で受信した場合、前記受信したメールに対する返信操作は、できるだけ簡単な操作で行えることが望ましい。
【０１３６】
本実施例では、前述の、実施例３または実施例６で説明した番組表示装置１００から送信された、前記週毎若しくは日毎に定期的に視聴しているデジタル放送番組の自動録画を行うか否かを確認するためのメール、或いは前記週毎若しくは日毎に定期的に視聴しているデジタル放送番組の映像表示を行うか否かを確認するためのメールに対する返信操作を、簡単な操作で行うことが可能な携帯端末の例を説明する。
【０１３７】
図２５は、本実施例の携帯端末のブロック図である。携帯端末２００は、主制御部２０１、システムバス２０２、ＲＯＭ２０３、ＲＡＭ２０４、表示部２１１、表示処理部２１２、画像入力部２１３、スピーカ２１４、音声処理部２１５、音声入力部２１６、ストレージ部２２０、メール処理部２３０、ＬＡＮ通信部２４１、電話網通信部２４２、操作部２５０、センサ部２６０、外部インタフェース２７０、で構成される。なお、携帯端末２００は、携帯電話やタブレット端末、携行型ＰＣ、ゲーム機やその他のデジタル機器等であることが考えられる。
【０１３８】
主制御部２０１は、所定のプログラムに従って携帯端末２００全体を制御するマイクロプロセッサユニットである。システムバス２０２は主制御部２０１と携帯端末２００内の各部との間でデータ送受信を行うためのデータ通信路である。ＲＯＭ２０３は、オペレーティングシステムや所定のアプリケーションプログラムなど、携帯端末２００の基本動作プログラムが格納されたメモリであり、例えばＥＥＰＲＯＭやフラッシュＲＯＭのような書き換え可能なＲＯＭが用いられる。ＲＯＭ２０３に格納されたプログラムを更新することにより、基本動作プログラムのバージョンアップや機能拡張が可能であるものとする。なお、ＲＯＭ１０３は、図２５に示したような独立構成とはせず、後述のストレージ部２２０内の一部記憶領域を使用しても良い。ＲＡＭ２０４は基本動作プログラム若しくは各アプリケーション実行時のワークエリアとなる。また、ＲＯＭ２０３及びＲＡＭ２０４は主制御部２０１と一体構成であっても良い。
【０１３９】
表示部２１１は、例えば液晶パネルのような表示デバイスであり、表示処理部２１２で処理した映像信号を携帯端末２００の使用者に提供する。画像入力部２１３はカメラであり、レンズから入力した光を電気信号に変換することにより周囲や対象物の画像データを入力する。スピーカ２１４は音声処理部２１５で処理した音声信号を携帯端末２００の使用者に提供する。音声入力部２１６はマイクであり、使用者の声などの音声データを入力する。
【０１４０】
ストレージ部２２０は、携帯端末２００の各動作設定値や携帯端末２００の使用者の個人情報、携帯端末２００で動作する各種のアプリケーションの記憶等に使用する。ストレージ部２２０は、携帯端末２００の使用者の個人情報や任意のメールアドレスを記憶する個人情報記憶領域２２１、及びその他情報憶記憶領域２２２、で構成される。
【０１４１】
なお、その他情報記憶領域２２２の一部領域を以ってＲＯＭ２０３の機能の全部または一部を代替しても良い。また、携帯端末２００は、インターネット等のネットワーク上に接続されたアプリケーションサーバから新規アプリケーションをダウンロードすることにより、機能拡張をすることが可能であるものとする。この際、ダウンロードした前記新規アプリケーションはその他情報記憶領域２２２に記憶される。その他情報記憶領域２２２に記憶された前記新規アプリケーションがＲＡＭ２０４上に展開されて実行されることにより、携帯端末２００は多種の新規機能を実現可能であるものとする。
【０１４２】
ストレージ部２２０は、携帯端末２００に電源が供給されていない状態であっても記憶している情報を保持する必要がある。したがって、例えばフラッシュＲＯＭやＳＳＤ、ＨＤＤ等のデバイスが用いられる。
【０１４３】
メール処理部２３０は、任意のメールアドレスへのメール送信及びメール受信の制御を行うメール送受信部２３１と、送信メールの作成及び受信メールの解析、表示制御等を行うメール制御部２３２、で構成される。なお、図２５においては、メール処理部２３０を独立した構成として記述しているが、主制御部２０１がＲＡＭ２０４をワークエリアとして同機能を実現するように動作しても良い。また、送信したメール及び受信したメールの履歴はストレージ部２２０内のその他情報記憶領域２２２に記憶すれば良い。
【０１４４】
ＬＡＮ通信部２４１は、インターネット等のネットワークの無線通信用アクセスポイントとＷｉ−Ｆｉ（登録商標）等により通信を行う。電話網通信部２４２は、移動体電話通信網の基地局との通信を行う。ＬＡＮ通信部２４１及び電話網通信部２４２はそれぞれアンテナ、符号回路及び復号回路等で構成される。
【０１４５】
操作部２５０は、携帯端末２００に対する操作指示の入力を行う指示入力部であり、本実施例では、図示を省略したボタンスイッチ及び表示部２１１に重ねて配置したタッチパネルで構成されるものとする。センサ部２６０は、加速度センサ、ジャイロセンサ、地磁気センサ、ＧＰＳ受信部等で構成され、携帯端末２００の動き、傾き、位置、方角等を検出する。外部インタフェース２７０は、携帯端末２００の機能を拡張するためのインタフェースであり、ＵＳＢ機器、若しくはメモリカードの接続、或いは外部モニタに映像を表示するための映像ケーブルの接続等を行う。
【０１４６】
図２６に、本実施例の携帯端末２００で動作する受信メール確認アプリケーションを実行した際の表示画面の例を示す。前記受信メール確認アプリケーションの実行ウィンドウ２１１ａは、受信メール一覧表示部２１１ｂ、メール詳細表示部２１１ｃ、及びコマンドアイコン表示部２１１ｄ、で構成される。更に、コマンドアイコン表示部２１１ｄは、メール保存アイコン２１１ｄ１、メール削除アイコン２１１ｄ２、メール返信アイコン２１１ｄ３、メール即時返信アイコン２１１ｄ４、戻るアイコン２１１ｄ５、等を有する。その他のコマンドアイコンを有していても良い。
【０１４７】
携帯端末２００の使用者が、携帯端末２００で受信したメールを確認するために、前記受信メール確認アプリケーションを起動した場合、初期状態では、受信メール一覧表示部２１１ｂには携帯端末２００が受信したメールの一覧が表示され、メール詳細表示部２１１ｃは無表示であり、コマンドアイコン表示部２１１ｄの各アイコンは無効状態となっているものとする。ここで、携帯端末２００の使用者が、詳細な内容を確認したいメールを受信メール一覧表示部２１１ｂから選択すると、前記選択したメールの詳細がメール詳細表示部２１１ｃに表示され、更に、コマンドアイコン表示部２１１ｄの各アイコンが有効化される。
【０１４８】
携帯端末２００の使用者が、メール詳細表示部２１１ｃに表示されているメールに対して返信を行おうとする場合、通常は、以下の手順で操作を行う。まず、メール詳細表示部２１１ｃに返信処理を行いたいメールの詳細が表示されている状態で、携帯端末２００の使用者が、操作部２５０（タッチパネル）上の、メール返信アイコン２１１ｄ３が表示されている部分をタッチする。前記操作により、主制御部２０１がメール作成アプリケーションを起動する。次に、携帯端末２００の使用者は、前記メール作成アプリケーションを使用して文章の入力を行う等により、メール詳細表示部２１１ｃに表示されているメールに対する返信メールの作成を行う。返信メールの作成の完了後、携帯端末２００の使用者が、前記メール作成アプリケーション上で、前記作成したメールの送信を指示することにより、メール送受信部２３１が前記作成したメールの送信処理を行う。
【０１４９】
一方、実施例３または実施例６で説明した番組表示装置１００から送信された、前記週毎若しくは日毎に定期的に視聴しているデジタル放送番組の自動録画を行うか否かを確認するためのメール、或いは前記週毎若しくは日毎に定期的に視聴しているデジタル放送番組の映像表示を行うか否かを確認するためのメールに対する返信を、より簡単な操作で行うために、本実施例の携帯端末２００では、コマンドアイコン表示部２１１ｄにメール即時返信アイコン２１１ｄ４を用意する。
【０１５０】
即ち、メール詳細表示部２１１ｃに返信処理を行いたいメールの詳細が表示されている状態で、携帯端末２００の使用者が、操作部２５０（タッチパネル）上の、メール即時返信アイコン２１１ｄ４が表示されている部分をタッチすると、本実施例の携帯端末２００は、メール作成アプリケーションの起動等を行わずに、前記メールに対する返信メールの送信を、前記メールの送信元に対して、即時に行うように動作する。この際、返信メールの記述内容等は考慮しないものとする。即ち、前記返信メールの送信先である番組表示装置１００においては、前記返信メールの受信の有無のみを確認しており、その内容の確認は行っていないためである。
【０１５１】
前述の動作を行うメール即時返信アイコン２１１ｄ４を受信メール確認アプリケーションのコマンドアイコン表示部２１１ｄに用意することにより、本実施例の携帯端末２００においては、実施例３または実施例６で説明した番組表示装置１００から送信された、前記週毎若しくは日毎に定期的に視聴しているデジタル放送番組の自動録画を行うか否かを確認するためのメール、或いは前記週毎若しくは日毎に定期的に視聴しているデジタル放送番組の映像表示を行うか否かを確認するためのメールに対する返信を、より簡単な操作で行うことが可能となる。
【０１５２】
なお、メール即時返信アイコン２１１ｄ４は、メール詳細表示部２１１ｃに何れかのメールの詳細が表示されている場合は、常に有効化されるように制御しても良いが、メール詳細表示部２１１ｃに詳細が表示されているメールのメール送信元及び／または題名に応じて有効化するように制御しても良い。例えば、実施例３または実施例６で説明した番組表示装置１００が有するメールアドレスをストレージ部２２０内の個人情報記憶領域２２１に予め登録しておき、メール詳細表示部２１１ｃに表示されたメールの送信元メールアドレスが前記登録したメールアドレスである場合にのみ、メール即時返信アイコン２１１ｄ４を有効化するようにする。或いは、メール詳細表示部２１１ｃに表示されたメールの題名が、実施例３または実施例６で説明した番組表示装置１００が、前記週毎若しくは日毎に定期的に視聴しているデジタル放送番組の自動録画を行うか否かを確認する際に、或いは前記週毎若しくは日毎に定期的に視聴しているデジタル放送番組の映像表示を行うか否かを確認する際に付与する題名（例えば、『自動録画実行確認』または『自動視聴実行確認』等）であった場合にのみ、メール即時返信アイコン２１１ｄ４を有効化する、等である。
【０１５３】
また、前記メール即時返信アイコン２１１ｄ４の機能は、操作部２５０の任意のボタンスイッチに割り当てるようにしても良い。
【実施例８】
【０１５４】
以下では、本発明の実施例８に関して説明する。なお、本実施例における構成及び効果等は特に断りのない限り実施例７と同様であるものとする。このため、以下では、本実施例と実施例７との相違点を主に説明し、共通する点については重複を避けるため極力説明を省略する。
【０１５５】
本実施例の携帯端末２００は、ストレージ部２２０内の個人情報記憶領域２２１に予め登録しておいた、実施例３または実施例６で説明した番組表示装置１００が有するメールアドレスから、前記番組表示装置１００が、前記週毎若しくは日毎に定期的に視聴しているデジタル放送番組の自動録画を行うか否かを確認する際に、或いは前記週毎若しくは日毎に定期的に視聴しているデジタル放送番組の映像表示を行うか否かを確認する際に付与する所定の題名のメールを受信した際に、自動録画／視聴実行確認アプリケーションを起動するように制御されるものとする。
【０１５６】
図２７は、本実施例の携帯端末２００で動作する自動録画／視聴実行確認アプリケーションの実行ウィンドウ２１１ｅの表示例を示す。なお、前記自動録画／視聴実行確認アプリケーションの実行ウィンドウ２１１ｅは、メール制御部２３２が前記受信したメールを解析することにより取得した、自動録画或いは自動視聴の対象となる番組の情報等と、『はい』アイコン２１１ｅ１、『いいえ』アイコン２１１ｅ２、を表示する。また、前記自動録画／視聴実行確認アプリケーションの実行ウィンドウ２１１ｅは、メール制御部２３２が前記受信したメールに前記『はい』アイコン２１１ｅ１及び前記『いいえ』アイコン２１１ｅ２を付加したものであっても良い。
【０１５７】
主制御部２０１は、メール送受信部２３１が受信したメールが図１６（Ａ）に示したものであった場合、前記『いいえ』アイコン２１１ｅ２に実施例７で説明したメール即時返信アイコン２１１ｄ４の機能を割り当てるようにし、前記『はい』アイコン２１１ｅ１には前記自動録画／視聴実行確認アプリケーションを終了させる機能を割り当てるようにする。
【０１５８】
即ち、携帯端末２００の使用者が、操作部２５０（タッチパネル）上の、『いいえ』アイコン２１１ｅ２が表示されている部分をタッチすると、本実施例の携帯端末２００は、メール作成アプリケーションの起動等を行わずに、前記メールに対する返信メールの送信を、前記メールの送信本に対して、即時に行うように動作する。
【０１５９】
一方、メール送受信部２３１が受信したメールが図１６（Ｂ）や図２４に示したものであった場合、主制御部２０１は、前記『はい』アイコン２１１ｅ１に実施例７で説明したメール即時返信アイコン２１１ｄ４の機能を割り当てるようにし、前記『いいえ』アイコン２１１ｅ２には前記自動録画／視聴実行確認アプリケーションを終了させる機能を割り当てるようにする。
【０１６０】
即ち、携帯端末２００の使用者が、操作部２５０（タッチパネル）上の、『はい』アイコン２１１ｅ１が表示されている部分をタッチすると、本実施例の携帯端末２００は、メール作成アプリケーションの起動等を行わずに、前記メールに対する返信メールの送信を、前記メールの送信本に対して、即時に行うように動作する。
【０１６１】
以上の処理により、本実施例の携帯端末２００では、自動録画／視聴実行確認アプリケーションを実行することにより、実施例３または実施例６で説明した番組表示装置１００から送信された、前記週毎若しくは日毎に定期的に視聴しているデジタル放送番組の自動録画を行うか否かを確認するためのメール、或いは前記週毎若しくは日毎に定期的に視聴しているデジタル放送番組の映像表示を行うか否かを確認するためのメールに対する返信を、より簡単な操作で行うことが可能となる。
【０１６２】
また、前記『はい』アイコン２１１ｅ１及び前記『いいえ』アイコン２１１ｅ２の機能は、操作部２５０の任意のボタンスイッチに割り当てるようにしても良い。
【０１６３】
以上、本発明の実施形態の例を、実施例１〜実施例８を用いて説明したが、言うまでもなく、本発明の技術を実現する構成は前記実施例に限られるものではない。例えば、ある実施例の構成と別の実施例の構成とを組み合わせても良い。これらは全て本発明の範疇に属するものである。また、文中や図中に現れる数値やメッセージの文章等もあくまでも一例であり、異なるものを用いても本発明の効果を損なうことはない。
【０１６４】
また、前述した本発明の機能等は、それらの一部または全部を、例えば集積回路で設計する等によりハードウエアで実現しても良い。また、マイクロプロセッサ等がそれぞれの機能等を実現するプログラムを解釈し、実行することによりソフトウエアで実現しても良い。なお、前記プログラムは、番組表示装置１００においては、予めＲＯＭ１０３若しくはストレージ部１３０内のその他情報記憶領域１３４等に、携帯端末２００においては、予めＲＯＭ２０３若しくはストレージ部２２０内のその他情報記憶領域２２２等に、格納された状態であっても良い。或いは、インターネット上のアプリケーションサーバからＬＡＮインタフェース１６１を介して（番組表示装置１００の場合）、或いはＬＡＮ通信部２４１若しくは電話網通信部２４２を介して（携帯端末２００の場合）、取得するものであっても良い。また、メモリカードに格納された前記プログラムを、ＵＳＢインタフェース１６４（番組表示装置１００の場合）、或いは外部インタフェース２７０（携帯端末２００の場合）に接続したメモリインタフェースを介して取得しても良い。
【０１６５】
また、図中に示した制御線や情報線は説明上必要と考えられるものを示しているが、製品上必ずしも全ての制御線や情報線を示しているとは限らない。実際には殆ど全ての構成が相互に接続されていると考えても良い。
【符号の説明】
【０１６６】
１００：番組表示装置、１０１：主制御部、１０２：システムバス、１０３：ＲＯＭ、１０４：ＲＡＭ、１１０：放送受信部、１１１：チューナ、１１２：分離部、１１３：映像デコーダ、１１４：音声デコーダ、１１５：情報デコーダ、１２１：表示部、１２２：表示処理部、１２３：スピーカ、１２４：音声処理部、１３０：ストレージ部、１３１：個人情報記憶領域、１３２：視聴情報記憶領域、１３３：番組記録領域、１３４：その他情報憶記憶領域、１４０：視聴状況解析部、１５０：メール処理部、１５１：メール送受信部、１５２：メール制御部、１６０：外部インタフェース、１６１：ＬＡＮインタフェース、１６２：音声入出力部、１６３：映像入出力部、１６４：ＵＳＢインタフェース、１７０：操作部、１７１：操作キー、１７２：リモコン受信部、１７３：人感センサ、
２００：携帯端末、２０１：主制御部、２０２：システムバス、２０３：ＲＯＭ、２０４：ＲＡＭ、２１１：表示部、２１２：表示処理部、２１３：画像入力部、２１４：スピーカ、２１５音声処理部：、２１６：音声入力部、２２０：ストレージ部、２２１：個人情報記憶領域、２２２：その他情報憶記憶領域、２３０：メール処理部、２３１：メール送受信部、２３２：メール制御部、２４１：ＬＡＮ通信部、２４２：電話網通信部、２５０：操作部、２６０：センサ部、２７０：外部インタフェース
【図１】
2014107850.tif 000003
【図２】
2014107850.tif 000004
【図３】
2014107850.tif 000005
【図４】
2014107850.tif 000006
【図５】
2014107850.tif 000007
【図６】
2014107850.tif 000008
【図７】
2014107850.tif 000009
【図８】
2014107850.tif 000010
【図９（Ａ）】
2014107850.tif 000011
【図９（Ｂ）】
2014107850.tif 000012
【図９（Ｃ）】
2014107850.tif 000013
【図１０】
2014107850.tif 000014
【図１１（Ａ）】
2014107850.tif 000015
【図１１（Ｂ）】
2014107850.tif 000016
【図１２】
2014107850.tif 000017
【図１３（Ａ）】
2014107850.tif 000018
【図１３（Ｂ）】
2014107850.tif 000019
【図１４】
2014107850.tif 000020
【図１５】
2014107850.tif 000021
【図１６（Ａ）】
2014107850.tif 000022
【図１６（Ｂ）】
2014107850.tif 000023
【図１７】
2014107850.tif 000024
【図１８（Ａ）】
2014107850.tif 000025
【図１８（Ｂ）】
2014107850.tif 000026
【図１９】
2014107850.tif 000027
【図２０】
2014107850.tif 000028
【図２１】
2014107850.tif 000029
【図２２（Ａ）】
2014107850.tif 000030
【図２２（Ｂ）】
2014107850.tif 000031
【図２３】
2014107850.tif 000032
【図２４】
2014107850.tif 000033
【図２５】
2014107850.tif 000034
【図２６】
2014107850.tif 000035
【図２７】
2014107850.tif 000036